(57)【要約】【課題】上皿の上面を大きな操作面としつつ、貯留球数の低減を抑止できる遊技機を提供する。【解決手段】上皿１９の上面である迫出前後幅広操作面４４０）は、パチンコ機１０の平面視でその一部が下流側流路（迂回面４７５）に重なるものとしているので、この上面を、下流側流路の方に拡大した大きな操作面とすることができる。この大きな操作面に演出用操作ボタン４５１、左指示用操作ボタン４５５ａ及び右指示用操作ボタン４５５ｂを広く配設したり大きな演出用操作ボタン４５１を配設したりできるので、遊技者が遊技領域を見ながら操作する場合にも、操作ミスや操作間違いを低減できる。また、幅広壁４１５での下流側流路の重なり箇所（突出部４３０の下部）に遊技球が入り込むことができ、上皿１９での貯留球数の低減を抑止できる。【選択図】図２０
2019069278.tif 000002
【特許請求の範囲】
【請求項１】
遊技機本体の前面に配設される、払い出された遊技球を貯留する球皿部と、
この球皿部から案内されてきた遊技球を遊技者の発射操作に応じて遊技領域に発射する遊技球発射装置と、
を備えた遊技機において、
払い出された遊技球を貯留可能でこの貯留球を前記遊技球発射装置側に送る、前記球皿部での球流路を形成するものであって、当該球流路の下流側に当該球流路の上流側より流路幅が狭くなった下流側流路を有する球流路を形成する流路形成周囲壁部と、
当該遊技機の平面視において、前記流路形成周囲壁部のうちで前記下流側流路に接する所定壁部である第１壁部の前後幅を他の流路形成周囲壁部よりも長くすることで当該第１壁部の上面に形成された前後幅広上面と、
前記第１壁部の前記下流側流路側で当該下流側流路の底から遊技球１個以上の間隔を空けた箇所が当該遊技機の平面視において当該下流側流路に向けて迫り出した迫り出し部と、
前記前後幅広上面と前記迫り出し部の上面とで形成される面であって、遊技者に操作される操作部が配設される迫り出し操作面と、
を備えている
ことを特徴とする遊技機。
【発明の詳細な説明】
【技術分野】
【０００１】
本発明は、パチンコ機等の遊技機に関する。
【背景技術】
【０００２】
従来、遊技機の代表例として例えばパチンコ機がある。このパチンコ機は、例えば、遊技機本体の前面下部箇所に、払い出しされた遊技球を貯留する球皿部を備え、この球皿部から案内されてきた遊技球を遊技者のハンドル操作に応じて遊技球発射装置が遊技盤の遊技領域に発射する。また、球皿部には、遊技者に操作される各種の操作ボタン（例えば、演出用ボタン、球貸しボタンなど）が配設されている（例えば、特許文献１参照）。
【先行技術文献】
【特許文献】
【０００３】
【特許文献１】特開２０１０−２８４３５９号公報（第５−６頁，第３−４図）
【発明の開示】
【発明が解決しようとする課題】
【０００４】
しかしながら、このような構成を有する従来例の場合には、次のような問題がある。
すなわち、従来のパチンコ機では、球皿部の上面を拡大して大きな操作面としたいが、そうすると上面が拡張した分だけ当該球皿部で貯留できる貯留球の数が減ってしまうという問題がある。
【０００５】
本発明は、このような事情等に鑑みてなされたものであって、球皿部の上面を大きな操作面としつつ、貯留球数の低減を抑止できる遊技機を提供することを目的とする。
【課題を解決するための手段】
【０００６】
本発明は、このような目的を達成するために、次のような構成をとる。
すなわち、請求項１に記載の発明は、
遊技機本体の前面に配設される、払い出された遊技球を貯留する球皿部と、
この球皿部から案内されてきた遊技球を遊技者の発射操作に応じて遊技領域に発射する遊技球発射装置と、
を備えた遊技機において、
払い出された遊技球を貯留可能でこの貯留球を前記遊技球発射装置側に送る、前記球皿部での球流路を形成するものであって、当該球流路の下流側に当該球流路の上流側より流路幅が狭くなった下流側流路を有する球流路を形成する流路形成周囲壁部と、
当該遊技機の平面視において、前記流路形成周囲壁部のうちで前記下流側流路に接する所定壁部である第１壁部の前後幅を他の流路形成周囲壁部よりも長くすることで当該第１壁部の上面に形成された前後幅広上面と、
前記第１壁部の前記下流側流路側で当該下流側流路の底から遊技球１個以上の間隔を空けた箇所が当該遊技機の平面視において当該下流側流路に向けて迫り出した迫り出し部と、
前記前後幅広上面と前記迫り出し部の上面とで形成される面であって、遊技者に操作される操作部が配設される迫り出し操作面と、
を備えている
ことを特徴とする遊技機。
【０００７】
［作用・効果］請求項１に記載の発明によれば、球皿部の上面を大きな操作面としつつ、貯留球数の低減を抑止できる。
【発明の効果】
【０００８】
本発明に係る遊技機によれば、球皿部の上面を大きな操作面としつつ、貯留球数の低減を抑止できる遊技機を提供することができる。
【図面の簡単な説明】
【０００９】
【図１】本発明の実施例１のパチンコ機の正面図である。
【図２】パチンコ機の前方斜視図である。
【図３】パチンコ機の背面図である。
【図４】パチンコ機の右側面図である。
【図５】パチンコ機の左側面図である。
【図６】パチンコ機の平面図である。
【図７】パチンコ機の底面図である。
【図８】遊技盤の正面図である。
【図９】パチンコ機の電気的構成を示すブロック図である。
【図１０】第３図柄表示装置の表示内容を示す説明図である。
【図１１】前面枠セットの正面図である。
【図１２】前面枠セットのＡ−Ａ線断面図である。
【図１３】前面枠セットの背面斜視図である。
【図１４】前面枠セットの背面図である。
【図１５】（ａ）は下部止め部が非止め位置にある状態の前面枠セットの背面図であり、（ｂ）は下部止め部が止め位置にある状態の前面枠セットの背面図である。
【図１６】（ａ）は非止め位置にある下部止め部の拡大図、（ｂ）は止め位置にある下部止め部の拡大図である。
【図１７】（ａ）、（ｂ）は、それぞれ図１５（ａ）、（ｂ）での球皿払出通路部品を取り外した状態の前面枠セットの背面図である。
【図１８】（ａ）、（ｂ）は、それぞれ図１７（ａ）、（ｂ）での下部止め部の拡大図である。
【図１９】（ａ）、（ｂ）は、図１５（ａ）、（ｂ）にそれぞれ示した前面枠セットのＢ−Ｂ線、Ｃ−Ｃ線断面図である。
【図２０】（ａ）、（ｂ）は上皿部の平面図、右側面図である。
【図２１】上皿部の前方斜視図である。
【図２２】上皿部の後方斜視図である。
【図２３】上皿部でのＤ−Ｄ線、Ｅ−Ｅ線、Ｆ−Ｆ線を示す図である。
【図２４】（ａ）〜（ｃ）は上皿部のＤ−Ｄ線断面図、Ｅ−Ｅ線断面図、Ｆ−Ｆ線断面図である。
【図２５】遊技球が貯留された状態での上皿部の平面図である。
【図２６】（ａ）〜（ｃ）は、遊技球が貯留された状態での上皿部のＤ−Ｄ線断面図、Ｅ−Ｅ線断面図、Ｆ−Ｆ線断面図である。
【図２７】上皿部でのＧ−Ｇ線、Ｈ−Ｈ線、Ｉ−Ｉ線、Ｊ−Ｊ線を示す図である。
【図２８】（ａ）、（ｂ）は、上皿部のＨ−Ｈ線断面図、Ｊ−Ｊ線断面図である。
【図２９】遊技球が貯留された状態の上皿部のＪ−Ｊ線断面図である。
【図３０】（ａ）、（ｂ）は、上皿部のＩ−Ｉ線断面図、Ｇ−Ｇ線断面図である。
【図３１】遊技球が貯留された状態の上皿部のＩ−Ｉ線断面図である。
【図３２】（ａ）は球抜きボタンが非押下であるときの上皿部の斜視図、（ｂ）は球抜きボタンが押下されたときの上皿部の斜視図である。
【図３３】上皿部でのＫ−Ｋ線を示す図である。
【図３４】（ａ）は球抜きボタンが非押下であるときの上皿部のＫ−Ｋ線断面図、（ｂ）は球抜きボタンが押下されたときの上皿部のＫ−Ｋ線断面図である。
【図３５】（ａ）、（ｂ）は、球抜きボタンが非押下であって遊技球が貯留された状態の上皿部の斜視図、Ｋ−Ｋ線断面図である。
【図３６】（ａ）は、変形例の下皿１５について上皿との位置関係を示す平面図、（ｂ）は、変形例の上皿の平面図である。
【図３７】鏡部材を備えた変形例での上皿部の前方斜視図である。
【発明を実施するための形態】
【００１０】
以下、パチンコ遊技機（以下、単に「パチンコ機」という）の各種の実施の形態を、図面に基づいて詳細に説明する。
【実施例１】
【００１１】
実施例１のパチンコ機１０を、図面に基づいて詳細に説明する。図１〜図７は、それぞれパチンコ機１０の正面図、前方斜視図、背面図、右側面図、左側面図、平面図及び底面図である。図８は、遊技盤３０の正面図である。図９は、パチンコ機１０の電気的構成を示すブロック図である。
【００１２】
図１，図２に示すように、パチンコ機１０は、当該パチンコ機１０の外殻を形成し遊技場（ホール）の遊技島に固定される外枠１１と、この外枠１１の一側部（例えば正面視での左側部）を開閉軸Ｊ１として外枠１１に対して開閉可能に支持された内枠１２と、この内枠１２の一側部（例えば正面視での左側部）を開閉軸Ｊ２として内枠１２に対して開閉自在に取り付けられる前面枠セット１４とを備えている。
【００１３】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属などにより構成されていてもよい。
【００１４】
内枠１２は、大別すると、その外形を形成する主要部材としての樹脂ベース１２ａ（図２参照）と、この樹脂ベース１２ａに取り付けられる遊技盤３０（図８参照）とを備えている。また、内枠１２は、図１，図２に示すように、樹脂ベース１２ａの前面側で片開き自在な前面枠セット１４を備えている。
【００１５】
具体的には、樹脂ベース１２ａは、正面視で、その外形が略矩形状で、かつ、その略中央箇所を開口中心とする開口部（後述する遊技領域３０ａ（図８参照）と同等の大きさの開口）が形成された板状部材としている。
【００１６】
前面枠セット１４は、図１に示すように、正面視左側で上下方向の開閉軸Ｊ２を軸心にして当該内枠１２に対して開閉可能に取り付けられている。詳細には、前面枠セット１４は、正面視で左側を開閉基端側とし右側を開閉先端側として前方へ回動可能とされている。
【００１７】
遊技盤３０（図８参照）は、その遊技領域３０ａを樹脂ベース１２ａの開口部に位置させるようにして当該樹脂ベース１２ａの背面側より着脱自在に取り付けられる。
【００１８】
ここで、もう少し詳細に前面枠セット１４について、図１１〜図１４も用いて説明する。図１１〜図１４は、それぞれ前面枠セット１４の正面図、Ａ−Ａ線断面図、背面斜視図及び背面図である。なお、図１１〜図１４では、後述するガラスユニット１４０における二枚のガラス板１３７の図示を省略している。
【００１９】
前面枠セット１４は、図１，図１１に示すように、それを正面視すると、最下部に位置する下皿部１３と、この下皿部１３の上側に位置する上皿部２１と、この上皿部２１の上側に位置するガラス枠部２３とに大別される。
【００２０】
これらの下皿部１３、上皿部２１及びガラス枠部２３を、前面枠セット１４の樹脂成形部品であるベース板体１４ａ（図１３参照）の前面側各箇所にそれぞれ取り付けることで、前面枠セット１４が構成されている。
【００２１】
下皿部１３は、図１に示すように、下皿１５を形成する部品とその部品を囲う部品等とが一体化された部品であり、前面枠セット１４の最下部箇所に位置するように、ネジ等の締結具によりベース板体１４ａ（図１３参照）の正面視で最下部箇所に固定されている。この下皿部１３は、その前面側に、下皿１５、球抜きレバー１７及び遊技球発射ハンドル１８を備えている。
【００２２】
球受皿としての下皿１５は、図１，図２に示すように、前面枠セット１４の横幅を略四等分した場合の左端から「３／４」にわたる箇所までの大きさとしており、図１に示す排出口１６より排出された遊技球が当該下皿１５内に貯留可能である。球抜きレバー１７は、下皿１５内の遊技球を抜く（排出する）ためのものであり、この球抜きレバー１７を図１，図２で奥側に押し込むことにより、下皿１５の底面での所定箇所（例えば略中央箇所）に形成された円形排出部１５ａ（図２参照）が開口され、下皿１５内に貯留された遊技球を下皿１５の底面での開口された円形排出部１５ａを通して下方向外部に抜くことができる。
【００２３】
遊技球発射ハンドル１８は、下皿１５よりも右方で手前側に突出して配設されている。遊技者による遊技球発射ハンドル１８の操作に応じて、発射装置２２９（図３、図９参照）によって遊技球が遊技盤３０（図８参照）の遊技領域３０ａに打ち込まれる。
【００２４】
上皿部２１は、図１に示すように、上皿１９を形成する部品とその部品を囲う部品等とが一体化された部品であり、前面枠セット１４の下部箇所（前述の下皿１５の上方位置）に位置するように、ネジ等の締結具によりベース板体１４ａ（図１３参照）の正面視で下部箇所に固定されており、遊技球の受皿としての上皿１９を備えている。ここで、上皿１９は、遊技球を一旦貯留し、一列に整列させながら発射装置２２９の方へ導出するための球受皿である。
【００２５】
ガラス枠部２３は、図１に示すように、上皿部２１の上側に形成された窓部１０１と、この窓部１０１の周囲に設けられた各種の電飾部と音出力部２４とを備えている。
【００２６】
音出力部２４は、図１に示すように、前面枠セット１４の正面視で上部の左右２箇所に設けられ、その前面枠セット１４の内部に前側部分が収容され後側部分が背面に突き出て設けられたスピーカ２４ａ（図１３参照）からの音を出力するための複数個の出力口で形成されている。この出力口は、図１では一部のみ図示し、全体図示を省略している。なお、スピーカ全体が前面枠セット１４の内部に位置するように配設したり、スピーカを前面枠セット１４の背面箇所に配設するようにしてもよい。
【００２７】
詳述すれば、前面枠セット１４には、図１に示すように、上皿部２１の上側に位置するガラス枠部２３の中央箇所に、遊技盤３０の遊技領域３０ａ（図８参照）のほとんどを外部から視認することができるよう略縦長楕円形状の窓部１０１が形成されている。詳しくは、窓部１０１は、略縦長楕円形状で中央が空洞（開口部１０１ａ）となっており、その開口部１０１ａを略縦長楕円形状等のガラス板１３７で覆うように、図１３，図１４に示すようにガラスユニット１４０が前面枠セット１４の背面側に取り付けられたものである。ガラスユニット１４０は、二枚のガラス板１３７を前後方向に近設させて並べた二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００２８】
さらに、ガラス枠部２３は、図１に示すように、窓部１０１の周囲に各種の電飾部（第１電飾部３００、第２電飾部３０２及び第３電飾部３０４）を備えている。詳述すれば、前面枠セット１４は、図１に示すように、その正面視した状態で窓部１０１の周囲で左箇所に、ＬＥＤ等を内蔵した第１電飾部３００（左側電飾部）を、窓部１０１の周囲で右箇所に、ＬＥＤ等を内蔵した第２電飾部３０２（右側電飾部）を、窓部１０１の周囲で上箇所に、ＬＥＤ等を内蔵した第３電飾部３０４（上側電飾部）を備えている。これらの電飾部は、大当たり時や所定のリーチ時等における遊技状態の変化に応じて点灯、点滅のように発光態様が変更制御され遊技中の演出効果を高める役割を果たすものである。
【００２９】
本パチンコ機１０では、第１電飾部３００、第２電飾部３０２及び第３電飾部３０４は、大当たりランプとして機能し、大当たり時に点灯や点滅を行うことにより、大当たり中であることを報知する。その他、本パチンコ機１０の第１電飾部３００及び第２電飾部３０２には、賞球払出し中に点灯する賞球ランプ１０５と、所定のエラー時に点灯するエラー表示ランプ１０６とが備えられている。
【００３０】
第３電飾部３０４は、図１１，図１２に示すように、その下部奥側箇所に、遊技者に向かう方向（例えば破線矢印で示す方向）に閃光（例えばフラッシュライト）を放つ閃光装置４８０（ストロボライト）を備えている。
【００３１】
この閃光装置４８０は、図１２に示すように、図１１に示したＬＥＤ４８４（発光ダイオード）が図１２の紙面奥側方向（図１１ではパチンコ機１０の正面視で横方向）に所定間隔（例えば１ｃｍ程度の間隔）を空けて複数個（本実施例では４個）並べて実装されたＬＥＤ実装基板４８１と、ＬＥＤ４８４からの光が標準的な遊技者（例えば標準的な成人男性）の顔（特に、目）に向かうようにＬＥＤ実装基板４８１を斜め下方向に向けて支持する支持部４８２と、当該第３電飾部３０４での下面部であってＬＥＤ４８４からの光が通過する箇所を透明とした透明領域部４８３とを備え、第３電飾部３０４での下面部での透明領域部４８３を介してＬＥＤ４８４が直視される構成としている。
【００３２】
遊技者にとってみれば、この閃光装置４８０のＬＥＤ４８４が所定回数点滅することで、例えば反射的に視線を当該光の方に向けてしまい、第３電飾部３０４での下面部での透明領域部４８３を介して発光するＬＥＤ４８４を直視する。この場合、フラッシュライトのような強い光の印象を受け、フラッシュ（横並び４点の光）の残像が残る。この構成によれば、カメラなどストロボライトを用いることなく、ＬＥＤでフラッシュライトのような効果を生じさせることができる。
【００３３】
なお、この閃光装置４８０は、後述する第３図柄（例えば装飾図柄）の変動表示が所定の変動表示である場合、大当たりの場合など、遊技者に注視させたい遊技状態において、発光させることが挙げられる。
【００３４】
また、窓部１０１の周縁で右斜め下箇所には、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００３５】
また、図１，図２に示すように、窓部１０１の左斜め下方の上皿１９には、貸球操作部１２０が配設されている。この貸球操作部１２０には球貸しボタン１２１と返却ボタン１２２とが設けられている。パチンコ機１０の側方に配置された図示しないカードユニット（球貸しユニット）に紙幣やカード（例えばプリペイドカード）等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。なお、貸球操作部１２０にさらに度数表示部（図示省略）を設けるようにしてもよい。この度数表示部は、カード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００３６】
次に、図８を用いて遊技盤３０の構成を説明する。遊技盤３０は、図８に示すように、正面視で四角形状の木製（例えば、合板）でその左側の両角部が取れたような形状の遊技板３０ｂを備えており、その周縁部（後述するレール５１，５２の外側部分）が内枠１２の樹脂ベース１２ａ（図２参照）の裏側に当接した状態で取り付けられている。この遊技盤３０の前面側の略中央部分たる遊技領域３０ａは、前面枠セット１４のベース板体１４ａ（図１３参照）の略楕円形状の図１に示した窓部１０１のガラス板１３７を通じて、当該前面枠セット１４の前方外側から視認可能である。
【００３７】
また、遊技盤３０は、一般入賞口３１、可変入賞装置３２、始動入賞装置３３（例えば作動チャッカ）、第３の始動口３４（例えばスルーゲート）及び可変表示装置ユニット３５を備えている。これらの一般入賞口３１、可変入賞装置３２、始動入賞装置３３、第３の始動口３４及び可変表示装置ユニット３５は、遊技盤３０における、ルータ加工によって形成された各貫通穴にそれぞれに配設され、遊技盤３０前面側から木ネジ等により取り付けられている。
【００３８】
始動入賞装置３３は、図２に示すように、上から順に、第１の始動口３３ａ（例えば作動チャッカ）と第２の始動口３３ｂ（例えば作動チャッカ）とが上下に配設された単一の入賞装置で構成されている。そして、上部側の第１の始動口３３ａには第１の始動口３３ａ用の図示省略の作動口スイッチ（通過検出スイッチ）が設けられ、この第１の始動口３３ａへの入球は、その第１の始動口３３ａ用の作動口スイッチにより検出される。また、下部側の第２の始動口３３ｂには第２の始動口３３ｂ用の図示省略の作動口スイッチ（通過検出スイッチ）が設けられ、この第２の始動口３３ｂへの入球は、その第２の始動口３３ｂ用の作動口スイッチにより検出される。上述した上部側の第１の始動口３３ａへの遊技球の入球または下部側の第２の始動口３３ｂへの遊技球の入球のどちらの場合にも、それが始動入賞であることに変わりは無く、それらの入球を個別に検出できる。
【００３９】
また、一般入賞口３１への入球が検出スイッチ（図示省略の入賞口スイッチ）で検出され、可変入賞装置３２への入球が検出スイッチ（図示省略のカウントスイッチ）でそれぞれに検出され、この検出スイッチの出力に基づいて、上皿１９（または下皿１５）へ所定数の賞球が払い出される。
【００４０】
例えば、第１の始動口３３ａ、第２の始動口３３ｂへの入球の場合には、３個の賞球払い出しがされる。また、一般入賞口３１及び可変入賞装置３２への入球の場合には、１０個の賞球払い出しがされる。なお、これらの賞球の個数は任意であり、種々の個数としてもよい。
【００４１】
なお、第３の始動口３４に遊技球が入球し、当該入球が検出スイッチ（図示省略の通過検出スイッチ）で検出されるが、当該第３の始動口３４へ入球しても、遊技球の払い出しは実行されない。
【００４２】
その他に、図８に示すように、遊技盤３０にはアウト口３６が設けられており、各種入賞装置等に入球しなかった遊技球はこのアウト口３６を通って図示しない球排出路の方へと案内される。遊技盤３０には、遊技球の落下方向を適宜分散、調整等するために多数の釘３９が植設されているとともに、風車３７等の各種部材（役物）が配設されている。
【００４３】
可変表示装置ユニット３５は、図８に示すように、第１の始動口３３ａ，第２の始動口３３ｂへの入賞をトリガとして、識別情報としての第１図柄（例えば特別図柄）を変動表示する第１図柄表示装置４０と、第３の始動口３４の通過をトリガとして、第２図柄（例えば普通図柄）を変動表示する第２図柄表示装置４１と、第１の始動口３３ａ，第２の始動口３３ｂへの入賞をトリガとして、第３図柄（例えば装飾図柄）を変動表示する第３図柄表示装置４２とを備えている。
【００４４】
第１図柄表示装置４０は、図８に示すように、例えば、複数のセグメント発光部が所定の態様で配列されてなるセグメント表示器である第１セグメント表示部４０ａ及び第２セグメント表示部４０ｄを備えている。この第１セグメント表示部４０ａは、第１の始動口３３ａへの入球に基づいて変動発光等する。第２セグメント表示部４０ｄは、第２の始動口３３ｂへの入球に基づいて変動発光等する。また、第１図柄表示装置４０は、図８に示すように、第１セグメント表示部４０ａでの変動表示の保留数を示す保留ランプ４０ｃと、第２セグメント表示部４０ｄでの変動表示の保留数を示す保留ランプ４０ｆとを備えている。
【００４５】
第１セグメント表示部４０ａは、第１の始動口３３ａへの入球に基づいて、各セグメント発光部をランダムあるいは順番に発光変更することで、第１図柄の変動表示状態（本実施例では各セグメント発光部の発光変動態様）を発生させ、その発光変動の停止時に、例えば、確変大当りを示す記号（例えば数字や文字など）を発光表示すると確変大当り（特定当り）を示し、通常大当りを示す記号（例えば数字や文字など）を発光表示すると通常大当り（非特定当り）を示し、外れを示す記号（例えば数字や文字など）を発光表示すると外れを示す。
【００４６】
上記と同様に、第２セグメント表示部４０ｄは、第１の始動口３３ｂへの入球に基づいて、各セグメント発光部をランダムあるいは順番に発光変更することで、第１図柄の変動表示状態（本実施例では各セグメント発光部の発光変動態様）を発生させ、その発光変動の停止時に、例えば、確変大当りを示す記号（例えば数字や文字など）を発光表示すると確変大当り（特定当り）を示し、通常大当りを示す記号（例えば数字や文字など）を発光表示すると通常大当り（非特定当り）を示し、外れを示す記号（例えば数字や文字など）を発光表示すると外れを示す。
【００４７】
このように確変大当り（特定当り）や通常大当り（非特定当り）となると、可変入賞装置３２が後述する特定遊技状態（例えば、大当り状態）となる。
【００４８】
なお、この第１図柄表示装置４０として、少なくとも２色以上の発光が可能なタイプの単一又は複数個のＬＥＤを採用してもよい。具体的には、第１図柄表示装置４０として、例えば赤色と青色に発光可能な２個のＬＥＤを採用した場合を例に挙げると、各ＬＥＤの発光色を交互に変更させることで、第１図柄（各ＬＥＤの発光色態様）の変動表示状態を発生させ、例えば、両方のＬＥＤが赤色発光状態で停止すると確変大当り（特定当り）を示し、両方のＬＥＤが青色発光状態で停止すると通常大当り（非特定当り）を示し、両方のＬＥＤが互いに異なる色の発光状態で停止すると外れを示すことが挙げられる。また、第１図柄表示装置４０として、液晶表示装置、有機ＥＬ表示装置、ＣＲＴ又はドットマトリックス表示器等その他のタイプの表示装置によって構成されていてもよい。また、第１図柄表示装置４０にて表示される絵柄としては、複数種の文字が表示される構成、複数種の記号が表示される構成、複数種のキャラクタが表示される構成又は複数種の色が表示される構成などが考えられる。
【００４９】
第２図柄表示装置４１は、第２図柄用としての例えば「○」が描かれた表示部４１ａと、第２図柄用としての例えば「×」が描かれた表示部４１ｂと、保留ランプ４１ｃとを有し、遊技球が第３の始動口３４を通過する毎に例えば表示部４１ａ，４１ｂによる表示図柄（普通図柄）が変動し、その変動表示が所定図柄で停止した場合に下部側の第２の始動口３３ｂが所定時間だけ作動状態となる（開放される）よう構成されている。遊技球が第３の始動口３４を通過した回数は最大４回まで保留され、その保留回数が保留ランプ４１ｃにて点灯表示される。なお、表示部４１ａ，４１ｂは、その内部にＬＥＤ（発光ダイオード）を有しており、このＬＥＤの発光（あるいはランプの点灯）を切り換えることにより変動表示される構成としている。なお、
【００５０】
第３図柄表示装置４２では、第１の始動口３３ａ，第２の始動口３３ｂへの入賞に基づき第１図柄表示装置４０にて第１図柄の変動表示と所定の表示（停止表示）が行われる場合にそれに合わせて第３図柄の変動表示と所定の表示（停止表示）が行われる。なお、第３図柄表示装置４２では、第１の始動口３３ａ又は第２の始動口３３ｂへの入賞をトリガとした表示演出だけでなく、大当たり当選となった後に移行する特定遊技状態中の表示演出などが行われる。
【００５１】
第３図柄表示装置４２は、例えば液晶表示装置で構成されており、後述する表示制御装置４５により表示内容が制御される。第３図柄表示装置４２には、例えば図１０に示すように、左、中及び右の３つの装飾図柄列Ｌ，Ｍ，Ｒが表示される。図１０は、第３図柄表示装置４２の表示内容を示す説明図である。各装飾図柄列Ｌ，Ｍ，Ｒは複数の装飾図柄によって構成されており、これら装飾図柄が装飾図柄列Ｌ，Ｍ，Ｒ毎にスクロールされるようにして第３図柄表示装置４２に可変表示される。なお本実施の形態では、第３図柄表示装置４２（液晶表示装置）は、例えば、１１インチサイズの大型の液晶ディスプレイを備える。可変表示装置ユニット３５には、正面視した状態で第３図柄表示装置４２の表示画面をほぼ囲むようにしてこの第３図柄表示装置４２の前方側にセンターフレーム４７が配設されている。本実施形態では第３図柄表示装置４２として液晶表示装置を採用するが他の種類の画像表示装置（例えば、ＰＤＰ：プラズマ・ディスプレイ・パネルや、ＥＬ：エレクトロ・ルミネッセンス・ディスプレイや、有機ＥＬなど）でもよい。
【００５２】
図８に示す可変入賞装置３２は、通常は遊技球が入賞できない閉状態（あるいは、入賞し難い閉状態としてもよい）になっており、大当りの際に遊技球が入賞しやすい開状態と通常の閉状態とに繰り返し作動されるものである。このように、大当りの際に可変入賞装置３２が開状態と通常の閉状態とに繰り返し作動される状態は、特定遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態となっている。つまり、本実施例のパチンコ機１０は、遊技球の投入数（発射装置２２９による遊技球の遊技領域３０ａへの発射数）の方が、遊技球の賞球払出数（一般入賞口３１、可変入賞装置３２、第１の始動口３３ａ、第２の始動口３３ｂなどへの遊技球の入球に基づく賞球払出数）よりも多い通常遊技状態（遊技球消費状態）と、遊技球の賞球払出数の方が遊技球の投入数よりも多い特定遊技状態（例えば、大当り状態）とに状態変移可能なものである。
【００５３】
より詳しくは、第１の始動口３３ａに対し遊技球が入賞すると第１図柄表示装置４０の第１セグメント表示部４０ａが変動表示され、その変動停止後の第１セグメント表示部４０ａの表示が予め設定した記号で停止した場合に特定遊技状態が発生する。例えば、確変大当りを示す記号を停止表示する場合には、確変大当り（特定当り）の特定遊技状態に当選したことを示し、通常大当りを示す記号を停止表示する場合には、通常大当り（非特定当り）の特定遊技状態に当選したことを示し、外れを示す記号を停止表示する場合には外れ（特定遊技状態に落選したこと）を示す。
【００５４】
上記と同様に、第２の始動口３３ｂに対し遊技球が入賞すると第１図柄表示装置４０の第２セグメント表示部４０ｄが変動表示され、その変動停止後の第２セグメント表示部４０ｄの表示が予め設定した記号で停止した場合に特定遊技状態が発生する。例えば、確変大当りを示す記号を停止表示する場合には、確変大当り（特定当り）の特定遊技状態に当選したことを示し、通常大当りを示す記号を停止表示する場合には、通常大当り（非特定当り）の特定遊技状態に当選したことを示し、外れを示す記号を停止表示する場合には外れ（特定遊技状態に落選したこと）を示す。
【００５５】
そして、特定遊技状態の発生の場合には、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。また、遊技球が第１の始動口３３ａを通過した回数は最大４回まで保留され、その保留回数が保留ランプ４０ｃにて表示される。また、遊技球が第２の始動口３３ｂを通過した回数も最大４回まで保留され、その保留回数が保留ランプ４０ｆにて表示される。なお、保留ランプ４０ｃ，４０ｆは、第３図柄表示装置４２の表示画面の一部で保留表示等される構成等であっても良い。
【００５６】
また、遊技盤３０には、図８に示すように、発射装置２２９（図３参照）から発射された遊技球を遊技盤３０上部へ案内するための２本のレール５１，５２が取り付けられており、遊技球発射ハンドル１８の回動操作に伴い発射された遊技球は２本のレール５１，５２の後述する球案内通路４９を通じて所定の遊技領域３０ａに案内されるようになっている。２本のレール５１，５２は長尺状をなすステンレス製の金属帯状部材であり、内外二重に遊技盤３０に取り付けられている。内レール５１は、遊技盤３０の正面視で、略縦楕円のうちでその左斜め上から時計回りで右斜め下までの箇所を除いた形状に形成されている。外レール５２は、一部（主に左側部）が内レール５１に向かい合うようにして形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、遊技盤３０との当接面を有した溝状、すなわち手前側を開放した溝状に形成されている。
【００５７】
内レール５１の先端部分（図８の左上部）には戻り球防止部材５３が取着されている。これにより、一旦、内レール５１及び外レール５２間の球案内通路４９から遊技盤３０の上部へと案内された遊技球が再度球案内通路４９内に戻ってしまうといった事態が防止される。また、遊技盤３０が内枠１２に取り付けられた状態において、外レール５２における、遊技球の最大飛翔部分に対応する位置（図８の右上部：外レール５２の先端部に相当する部位）には、返しゴム５４が位置している。従って、所定以上の勢いで発射された遊技球は、返しゴム５４に当たって跳ね返されるようになっている。外レール５２は、長尺状をなすステンレス製の金属帯としているので、遊技球の飛翔をより滑らかなものとする、つまり遊技球の摩擦抵抗を少なくすることができる。なお、図８に示すように、外レール５２の先端部（図８の右上部）から内レール５１の右側先端部（図８の右下部）までは、第１図柄表示装置４０での遊技領域３０ａ側の壁部４０ｂと、内枠１２に形成された壁部５５（図８に破線で示す）とが位置することにより、遊技領域３０ａが仕切られている。
【００５８】
なお、図８に示すように、遊技盤３０の右下隅部は、証紙（例えば製造番号が記載されている）等のシールＳＬ（プレートとしてもよい）を貼着するためのスペースである。遊技盤３０の右下隅部に、証紙等のシールＳＬを貼着することで、遊技盤３０と証紙との一義性を持たせることができる。
【００５９】
次に、遊技盤３０の遊技領域３０ａについて説明する。遊技領域３０ａは、図８に示すように、内レール５１と外レール５２との内周部（内外レール）により略縦長円形状に区画形成されており、特に本実施の形態では、遊技盤３０の盤面上に区画される当該遊技領域３０ａが大きく構成されている。
【００６０】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は壁部５５（内枠１２の一部）によって特定される。また、遊技領域３０ａの下側限界位置は内レール５１によって特定される。また、遊技領域３０ａの上側限界位置は外レール５２によって特定される。
【００６１】
なお、発射装置２２９には、前面枠セット１４の背面側に形成された図１３，１４，１６に示す球出口２５１（上皿１９の最下流部より通じる球出口）から遊技球が１つずつ供給される。
【００６２】
次に、パチンコ機１０の背面の構成について説明する。図３に示すように、パチンコ機１０は、その背面（実際には内枠１２及び遊技盤３０の背面）において、各種制御基板が上下左右に並べられるとともに所定の制御基板が前後に重ねられる（例えば、後述する図９の払出制御基板３１１ａが背面視で手前側で、電源装置３１３の電源制御基板及び発射制御装置３１２の発射制御基板が払出制御基板３１１ａよりも奥側に位置する）ようにして配置されており、さらに、遊技球を供給するための遊技球供給装置（払出機構部３５２）や樹脂製の保護カバー３５３等が取り付けられている。本実施の形態では、各種制御基板を図３に示す複数（３個）の取付台２３０〜２３２に分けて搭載してそれらを各制御基板ユニットとし、各制御基板ユニットが個別に内枠１２又は遊技盤３０の背面に装着するようにしている。具体的には、図３に示すように、主制御装置２６１を取付台２３０に搭載し、サブ制御装置２６２を取付台２３２に搭載してそれぞれユニット化すると共に、払出制御装置３１１、発射制御装置３１２及び電源装置３１３を取付台２３１に搭載してユニット化している。
【００６３】
また、払出機構部３５２は、図３に示すように、各種部品（後述するタンク３５５、タンクレール３５６、ケースレール３５７、払出装置３５８及び電源スイッチ基板３８２）がパチンコ機１０の背面視で逆Ｌの字状に配設されて構成されており、払出機構部３５２及び保護カバー３５３も１ユニットとして一体化されており、当該ユニットを裏パックと称することもあるため、ここではそのユニットを「裏パックユニット２０３」と称する。
【００６４】
裏パックユニット２０３は、ユニット単位で何ら工具等を用いずに着脱できるよう構成されており、さらにこれに加え、一部に支軸部を設けて内枠１２又は遊技盤３０の背面に対して開閉できる構成としている。これは、裏パックユニット２０３とその他構成とが前後に重ねて配置されても、隠れた構成等を容易に確認することを可能とするための工夫でもある。
【００６５】
また、遊技盤３０の背面には、各種入賞口などの遊技球の通過を検出するための入賞感知機構などが設けられている。具体的には、遊技盤３０表側の一般入賞口３１に対応する位置には入賞口スイッチ（図示省略）が設けられ、可変入賞装置３２にはカウントスイッチ（図示省略）が設けられている。カウントスイッチは入賞球をカウントするスイッチである。また、第１の始動口３３ａ，第２の始動口３３ｂに対応する位置には第１の始動口３３ａ用の作動口スイッチ（図示省略）と第２の始動口３３ｂ用の作動口スイッチ（図示省略）（図示省略）とがそれぞれ設けられ、第１の始動口３３ａ，第２の始動口３３ｂへの遊技球の入球をそれぞれの作動口スイッチで検出される。第３の始動口３４に対応する位置にはゲートスイッチが設けられ、第３の始動口３４への遊技球の通過を当該ゲートスイッチで検出される。
【００６６】
一般入賞口３１の入賞口スイッチ（図示省略）及び第３の始動口３４のゲートスイッチは、図示しない電気配線を通じて盤面接続基板（図示省略）に接続され、さらにこの盤面接続基板が後述する主制御装置２６１内の主制御基板２６１ａ（図９参照）に接続されている。また、可変入賞装置３２のカウントスイッチは大入賞口中継端子基板（図示省略）に接続され、さらにこの大入賞口中継端子基板がやはり主制御基板２６１ａに接続されている。これに対し、第１の始動口３３ａ及び第２の始動口３３ｂの各作動口スイッチは中継基板を介さずに直接に主制御基板２６１ａに接続されている。
【００６７】
その他図示は省略するが、可変入賞装置３２には、大入賞口３２ａを開放するための大入賞口ソレノイドが設けられ、下部側の第２の始動口３３ｂには、電動役物を開放するための作動口ソレノイドが設けられている。
【００６８】
上記入賞感知機構にて各々検出された検出結果は、後述する主制御装置２６１内の主制御基板２６１ａに取り込まれ、該主制御基板２６１ａよりその都度の入賞状況に応じた払出指令（遊技球の払出個数）が払出制御基板３１１ａに送信される。そして、該払出制御基板３１１ａの出力により所定数の遊技球の払出が実施される。
【００６９】
図３に示すように、主制御装置２６１は、パチンコ機１０の背面視での下側の取付台２３０に搭載され、サブ制御装置２６２は、パチンコ機１０の背面視での上側の取付台２３２に搭載されている。ここで、主制御装置２６１は、図９に示すように、主たる制御を司るＣＰＵ５０１と、遊技プログラムを記憶したＲＯＭ５０２と、遊技の進行に応じた必要なデータを記憶するＲＡＭ５０３と、各種機器との連絡をとる入出力ポート５０５と、各種抽選の際に用いられる乱数発生器（図示省略）と、時間計数や同期を図る場合などに使用されるクロックパルス発生回路（図示省略）などを含む主制御基板２６１ａを具備しており、この主制御基板２６１ａが透明樹脂材料等よりなる基板ボックス２６３（被包手段）に収容されて構成されている。なお、基板ボックス２６３は、略直方体形状のボックスベースと該ボックスベースの開口部を覆うボックスカバーとを備えている。これらボックスベースとボックスカバーとは、封印ユニット２６１ｃによって開封不能に連結され、これにより基板ボックス２６３が封印されている。
【００７０】
また、サブ制御装置２６２は、例えば主制御装置２６１内の主制御基板２６１ａからの指示に従い音声やランプ表示の制御や表示制御装置４５の制御を司るＣＰＵ５５１や、その他ＲＯＭ５５２、ＲＡＭ５５３、バスライン５５４及び入出力ポート５５５等を含むサブ制御基板２６２ａを具備しており、このサブ制御基板２６２ａが透明樹脂材料等よりなる基板ボックスに収容されて構成されている。後述する電源基板より供給される電源はサブ制御装置２６２を介して表示制御装置４５に出力される。
【００７１】
図３に示すように、払出制御装置３１１、発射制御装置３１２、電源装置３１３及びカードユニット接続基板３１４が取付台２３１に搭載されている。払出制御装置３１１は制御の中枢をなすＣＰＵや、その他ＲＯＭ、ＲＡＭ、各種ポート等を含む制御基板を具備している。また、発射制御装置３１２は発射制御基板を具備している。また、電源装置３１３は電源制御基板を具備している。払出制御装置３１１の払出制御基板３１１ａは、賞球や貸出球の払出を制御する。また、発射制御装置３１２の発射制御基板により、遊技者による遊技球発射ハンドル１８の操作に従い発射装置２２９（図９参照）の制御が行われ、電源装置３１３の電源基板により、各種制御装置等で要する所定の電源電圧が生成され出力される。本実施例の発射装置２２９は、発射ソレノイド（図示省略）への通電／非通電に従って進退自在な発射槌部（図示省略）で遊技球を打ちつけて発射させるソレノイド式発射部品を採用している。なお、それ以外の発射装置２２９として、発射モータの駆動に従って動作する発射杵で遊技球を打ちつけて発射させる機械式発射部品や、電磁場を発生させることで遊技球を発射させる電磁式発射部品など種々のタイプのものを採用してもよい。カードユニット接続基板３１４は、パチンコ機前面の貸球操作部１２０（図１参照）及び図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００７２】
上記払出制御装置３１１、発射制御装置３１２、電源装置３１３及びカードユニット接続基板３１４は、透明樹脂材料等よりなる基板ボックスにそれぞれ収容されて構成されている。特に、払出制御装置３１１では、前述した主制御装置２６１と同様、基板ボックス３１１ｂ（被包手段）を構成するボックスベースとボックスカバーとが封印ユニット（封印手段）によって開封不能に連結され、これにより基板ボックス３１１ｂが封印されている。
【００７３】
払出制御装置３１１には、図３に示すように、状態復帰スイッチ３１１ｃが設けられている。例えば、払出モータ部の球詰まり等、払出エラーの発生時において状態復帰スイッチ３１１ｃが押下されると、払出モータ３５８ａ（図９参照）がゆっくり正回転され、球詰まりの解消（正常状態への復帰）が図られるようになっている。
【００７４】
また、電源監視基板２６１ｂにはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できる。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【００７５】
次に、裏パックユニット２０３の構成を説明する。裏パックユニット２０３は、図３に示すように、樹脂成形された保護カバー３５３と遊技球の払出機構部３５２とを一体化したものである。
【００７６】
裏パックユニット２０３は、その最上部に上方に開口したタンク３５５が設けられており、このタンク３５５には遊技ホールの島設備（遊技島設備）から供給される遊技球が逐次補給される。タンク３５５の下方には、例えば横方向２列の球通路を有し下流側に向けて緩やかに下り傾斜するタンクレール３５６が連結され、さらにタンクレール３５６の下流側には縦向きにケースレール３５７が連結されている。ケースレール３５７の最下流部には、払出装置３５８が設けられ、払出モータ３５８ａ等の所定の電気的構成により必要個数の遊技球の払出が適宜行われる。そして、払出装置３５８より払い出された遊技球は払出通路（図示省略）等を通じて上皿１９に供給される。
【００７７】
また、タンクレール３５６には、当該タンクレール３５６に振動を付加するためのバイブレータ３６０が設けられている。例えば、バイブレータ３６０が例えば２本のネジでタンクレール３５６に締結されて取り付けられる。さらに、バイブレータ３６０は、タンクレール３５６に面接触するのではなく、当該２本のネジの部分で接触しており、バイブレータ３６０による振動がより効果的にタンクレール３５６に伝わる。従って、仮にタンクレール３５６付近で球詰まりが生じた際、バイブレータ３６０が駆動されることで球詰まりが解消される。
【００７８】
払出機構部３５２には、払出制御装置３１１から払出装置３５８への払出指令の信号を中継する払出中継基板（図示省略）が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦとされる。
【００７９】
タンク３５５から払出通路（図示省略）に至るまでの払出機構部３５２は何れも導電性を有する樹脂材料（例えば導電性ポリカーボネート樹脂）にて成形され、その一部にて接地（アース）されている。これにより、遊技球の帯電によるノイズの発生が抑制される。
【００８０】
なお、図３に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータへ出力される。
【００８１】
次に、本パチンコ機１０の電気的構成について、図９を用いて説明する。本パチンコ機１０は、主制御装置２６１と、払出制御装置３１１と、発射制御装置３１２と、サブ制御装置２６２と、表示制御装置４５と、電源装置３１３などを備えている。以下に、これらの装置を個別に詳細に説明する。
【００８２】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【００８３】
ＲＡＭ５０３は、パチンコ機１０の電源のオフ後においても電源装置３１３からバックアップ電圧が供給されてデータが保持（バックアップ）できる構成としており、ＲＡＭ５０３には、各種のデータ等を一時的に記憶するためのメモリやエリアを備えている。
【００８４】
つまり、停電などの発生により電源が切断された場合において、主制御装置２６１のＣＰＵ５０１は、通常処理を最後までを実行するので、ＲＡＭ５０３は、電源切断時（停電発生時を含む。以下同様）のカウンタ用バッファや保留球格納エリアの内容を記憶保持するだけでよく、電源の再入時にパチンコ機１０の状態を電源切断前の状態に復帰させることができる。具体的には、電源切断時における通常処理の途中の遊技情報についての各レジスタやＩ／Ｏ等の値を記憶しておくための専用のバックアップエリアをＲＡＭ５０３に設ける必要がない。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、停電処理（ＮＭＩ割込み処理）が即座に実行される。
【００８５】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、発射制御装置３１２、サブ制御装置２６２、第１図柄表示装置４０、第２図柄表示装置４１や、その他図示しないスイッチ群などが接続されている。また、主制御装置２６１は、第１図柄表示装置４０における第１図柄の変動表示と、第２図柄表示装置４１における第２図柄の変動表示とを制御する機能を備えている。
【００８６】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成としており、ＲＡＭ５１３には、各種のデータ等を一時的に記憶するためのメモリやエリアを備えている。
【００８７】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【００８８】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、主制御装置２６１、発射制御装置３１２、払出モータ３５８ａなどがそれぞれ接続されている。
【００８９】
図９に示すように、発射制御装置３１２は、発射装置２２９による遊技球の発射を許可又は禁止するものであり、発射装置２２９は、所定条件が整っている場合に駆動が許可される。具体的には、発射制御装置３１２は、払出制御装置３１１からのカードユニット接続信号Ｓ４（前述したカードユニットがパチンコ機１０に接続されている場合に出力される信号である）と、遊技者が遊技球発射ハンドル１８をタッチしている場合に出力されるタッチ検出信号Ｓ５と、遊技球発射ハンドル１８に設けられている、発射を停止させるための発射停止スイッチ１８ａが操作されていない場合に出力される発射維持信号Ｓ６との全てが入力されていることを条件に、発射許可信号Ｓ７を主制御装置２６１に出力する。また、遊技球発射ハンドル１８の操作量に応じたボリューム信号Ｓ１０が当該遊技球発射ハンドル１８から発射制御装置３１２に入力されており、発射制御装置３１２はこのボリューム信号Ｓ１０を主制御装置２６１に出力する。
【００９０】
すなわち、発射許可信号Ｓ７がＯＮ（ハイレベル）である期間は発射許可状態であり、発射許可信号Ｓ７がＯＦＦ（ローレベル）である期間は発射不許可状態である。つまり、主制御装置２６１は、入力される発射許可信号Ｓ７がＯＮである期間において、遊技球を発射する発射ソレノイド（図示省略）の制御を行う発射制御信号Ｓ８（パルス信号）と、発射レールに遊技球を送る球送りソレノイドの制御を行う球送り制御信号Ｓ９（パルス信号）とを、発射制御装置３１２に所定の繰り返し周期で繰り返し出力する。なお、発射制御信号Ｓ８（パルス信号）の振幅値は、主制御装置２６１においてボリューム信号Ｓ１０に基づいて決定されており、例えば遊技球発射ハンドル１８の操作量が大きいほど発射制御信号Ｓ８（パルス信号）の振幅値が大きくなる。発射制御装置３１２は、発射制御信号Ｓ８及び球送り制御信号Ｓ９に基づいて発射装置２２９を駆動制御し、遊技球発射ハンドル１８の操作量に応じた強度で遊技球が発射される。逆に、主制御装置２６１は、入力される発射許可信号Ｓ７がＯＦＦである期間においては、発射制御信号Ｓ８及び球送り制御信号Ｓ９を発射制御装置３１２に出力せず、発射装置２２９によって遊技球が発射されることはない。
【００９１】
表示制御装置４５は、第３図柄表示装置４２における第３図柄（装飾図柄）の変動表示を制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７の入力にはサブ制御装置２６２の出力が接続され、入力ポート５２７の出力には、ＣＰＵ５２１、ＲＯＭ５２２、ワークＲＡＭ５２３、画像コントローラ５２６が接続されている。また、画像コントローラ５２６にはバスライン５３１を介して出力ポート５２９が接続されており、その出力ポート５２９の出力には液晶表示装置である第３図柄表示装置４２が接続されている。
【００９２】
表示制御装置４５のＣＰＵ５２１は、主制御装置２６１からの各種コマンドがサブ制御装置２６２で編集等されて送信される各種コマンドに基づいて、第３図柄表示装置４２での装飾図柄表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【００９３】
ビデオＲＡＭ５２４は、第３図柄表示装置４２に表示される表示データを記憶するためのメモリであり、このビデオＲＡＭ５２４の内容を書き替えることにより、第３図柄表示装置４２の表示内容が変更される。キャラクタＲＯＭ５２５は、第３図柄表示装置４２に表示される装飾図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第３図柄表示装置４２に表示させるものである。
【００９４】
また、電源装置３１３は、パチンコ機１０の各部に電力を供給するための電源部５４１とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００９５】
図９に示すように、主制御装置２６１は、透明樹脂材料等よりなる基板ボックス２６３内に、主制御基板２６１ａと、この主制御基板２６１ａとは別体の電源監視基板２６１ｂとを備えている。電源監視基板２６１ｂは、停電等による電源遮断を監視する停電監視回路５４２と、ＲＡＭ消去スイッチ３２３に接続されてなるＲＡＭ消去スイッチ回路５４３とを備えている。
【００９６】
停電監視回路５４２は、停電等の発生による電源断時に、主制御装置２６１のＣＰＵ５０１及び払出制御装置３１１のＣＰＵ５１１の各ＮＭＩ端子へ停電信号Ｓ１を出力するための回路である。停電監視回路５４２は、電源部５４１で交流２４ボルトの電圧を監視し、この電圧が２２ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（ＮＭＩ割込み処理）を実行する。
【００９７】
なお、電源部５４１は、電源部５４１で監視している交流２４ボルトが２２ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【００９８】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアするための回路である。ＲＡＭ消去スイッチ３２３が押下された際、ＲＡＭ消去スイッチ回路５４３は、ＲＡＭ消去信号Ｓ２を主制御基板２６１ａに出力する。ＲＡＭ消去スイッチ３２３が押下された状態でパチンコ機１０の電源が投入されると（停電解消による電源入を含む）、主制御装置２６１においてＲＡＭ５０３のデータがクリアされ、払出制御装置３１１は主制御装置２６１からの初期化コマンドを受けるとＲＡＭ５１３のデータがクリアされる。
【００９９】
ところで、第３図柄表示装置４２（液晶表示装置）には、図１０に示すように、左・中・右の３つの装飾図柄列Ｌ，Ｍ，Ｒが設定されており、装飾図柄列Ｌ，Ｍ，Ｒ毎に上装飾図柄、中装飾図柄、下装飾図柄の３個ずつの装飾図柄が変動表示される。本実施の形態では、一連の図柄は、「０」〜「９」の数字を各々付した主装飾図柄ＳＺと、菱形状の絵図柄からなる副装飾図柄ＦＺとにより構成されており、数字の昇順又は降順に主装飾図柄ＳＺが表示されると共に各主装飾図柄ＳＺの間に副装飾図柄ＦＺが配されて一連の装飾図柄列Ｌ，Ｍ，Ｒが構成されている。そして、周期性を持って主装飾図柄ＳＺと副装飾図柄ＦＺが上から下へと変動表示されるようになっている。
【０１００】
かかる場合、左装飾図柄列Ｌにおいては、上記一連の装飾図柄が降順（すなわち、主装飾図柄ＳＺの番号が減る順）に表示され、中装飾図柄列Ｍ及び右装飾図柄列Ｒにおいては、同じく上記一連の装飾図柄が昇順（すなわち、主装飾図柄ＳＺの番号が増える順）に表示される。そして、左装飾図柄列Ｌ→右装飾図柄列Ｒ→中装飾図柄列Ｍの順に変動表示が停止し、その停止時に第３図柄表示装置４２上の５つの有効ライン、すなわち上ラインＬ１、中ラインＬ２、下ラインＬ３、右上がりラインＬ４、左上がりラインＬ５の何れかで主装飾図柄ＳＺが大当たり図柄の組合せ（本実施の形態では、同一の主装飾図柄ＳＺの組合せ）で揃えば大当たりとして特別遊技動画が表示される。
【０１０１】
続いて、前面枠セット１４の背面に設けられたガラスユニット１４０について説明する。
【０１０２】
図１を用いて前述したように、前面枠セット１４は、内枠１２の前面側に位置するとともに、正面視で遊技領域３０ａ（図８参照）と重なる箇所に当該遊技領域３０ａが視認可能な窓部１０１（図１参照）を備えている。
【０１０３】
窓部１０１は、図１３に示すように、前面枠セット１４での正面視で遊技領域と重なる箇所に形成された開口部１０１ａと、この開口部１０１ａを塞ぐようにして当該前面枠セット１４の背面側に取り付けられるガラスユニット１４０と、前面枠セット１４の背面視で右端縦方向軸心を回動軸としてガラスユニット１４０を回動可能に支持するユニット支持部１５０とを備えている。
【０１０４】
ガラスユニット１４０は、図１３、図１４に示すように、正面視で環状のガラス保持枠１４１と、このガラス保持枠１４１の正面側及び背面側にそれぞれ装着される図１１〜図１４で図示省略の二枚のガラス板１３７（図１参照）とを備えたものであり、二重ガラス構造を採用している。
【０１０５】
具体的には、ガラス保持枠１４１は、図１３、図１４に示すように、その正面側及び背面側に、各ガラス板１３７が装着される装着窪み部１４１ａがそれぞれ形成されており、各ガラス板１３７を離間して保持するためにその内周に沿って形成された環状の内周突起部１４１ｂを備えている。つまり、二枚のガラス板１３７の間に環状の内周突起部１４１ｂが位置することによって、二枚のガラス板１３７が離間して保持されている。
【０１０６】
ユニット支持部１５０は、図１４に示すように、ガラス保持枠１４１の正面視で左端の上部及び下部に形成された下向きの各支持ピン部１４２と、前面枠セット１４の背面視右端の上部及び下部に形成された各ピン挿入孔１５１とを備え、ガラス保持枠１４１の各支持ピン部１４２が前面枠セット１４の各ピン挿入孔１５１に挿入されることで、ガラスユニット１４０が当該前面枠セット１４に対して開閉可能に軸支される。
【０１０７】
なお本実施例では、ユニット支持部１５０は、図１４に示すように、前面枠セット１４の背面視で右端縦方向軸心を回動軸としてガラスユニット１４０を回動可能に支持しているが、前面枠セット１４の背面視で左端縦方向軸心を回動軸としてガラスユニット１４０を回動可能に支持してもよい。
【０１０８】
前面枠セット１４は、図１４に示すように、その背面側で開口部１０１ａの周囲箇所に背面視で窪み形成され、且つ、ガラスユニット１４０の周縁部（環状のガラス保持枠１４１）での正面側が当接可能な大きさとした環状窪み領域部１０２を備えている。なお、図１４は前面枠セット１４の背面にガラスユニット１４０が取り付けられた状態を図示しているため、図１４では環状窪み領域部１０２のうちで環状のガラス保持枠１４１が当接する領域部分については当該ガラス保持枠１４１によって隠れている。
【０１０９】
前面枠セット１４は、図１３、図１４に示すように、この前面枠セット１４の環状窪み領域部１０２にガラスユニット１４０の周縁部（環状のガラス保持枠１４１）での正面側を当接させた閉状態とすることで、窓部１０１の開口部１０１ａがガラスユニット１４０によって塞がれる。
【０１１０】
ガラスユニット１４０は、図１３、図１４に示すように、その上部箇所が、前面枠セット１４の背面視で窓部１０１の上部箇所に設けられた上部止め部１６０によって止められ、その背面視左端側の上下二箇所が、前面枠セット１４の背面視で窓部１０１の左側上下箇所に設けられた左端上側止め部１６５及び左端下側止め部１６８によってそれぞれ止められ、その下部箇所が、前面枠セット１４の背面視で窓部１０１の下部箇所に設けられた下部止め部１７０によって止められる。これらの上部止め部１６０、左端上側止め部１６５、左端下側止め部１６８及び下部止め部１７０は、前面枠セット１４の環状窪み領域部１０２に当接するように取り付けられた状態のガラスユニット１４０がこの環状窪み領域部１０２から離間するのを規制している。
【０１１１】
具体的には、上部止め部１６０は、図１３に示すように、その操作レバー１６１を、前面枠セット１４の背面視で左方向に向けるように縦方向軸周りに回動させることで、一対の棒状体１６２がそれぞれ進出し、ガラスユニット１４０の上部突起部１４３の背後に位置する。この状態では、上部止め部１６０の各棒状体１６２の先端部分がガラスユニット１４０の上部突起部１４３の背後に位置しているため、ガラスユニット１４０の上部が前面枠セット１４の環状窪み領域部１０２から離間できないように規制される。
【０１１２】
なお、上部止め部１６０の操作レバー１６１を、前面枠セット１４の背面視で手前方向に向けるように縦方向軸周りに回動させることで、一対の棒状体１６２がそれぞれ後退し、ガラスユニット１４０の上部突起部１４３の背後に位置しなくなる。つまり、この状態では、上部止め部１６０の各棒状体１６２の先端部分がガラスユニット１４０の上部突起部１４３の背後に位置しないため、ガラスユニット１４０の上部が前面枠セット１４の環状窪み領域部１０２から離間可能となる。
【０１１３】
また、左端上側止め部１６５は、図１３、図１４に示すように基端部１６６ａを回動軸心として先端部１６６ｂが回動可能な操作レバー１６６を備えている。図１３、図１４に示す水平姿勢の操作レバー１６６を、前面枠セット１４の背面視で下方向に向けるように基端部１６６ａを回動軸心として反時計方向に回動させることで、当該操作レバー１６６の先端部１６６ｂが、ガラスユニット１４０の左端上側突起部１４４の背後に位置する。この状態では、左端上側止め部１６５の操作レバー１６６の先端部１６６ｂがガラスユニット１４０の左端上側突起部１４４の背後に位置しているため、ガラスユニット１４０の左端上側が前面枠セット１４の環状窪み領域部１０２から離間できないように規制される。
【０１１４】
なお、左端上側止め部１６５の操作レバー１６６を、前面枠セット１４の背面視で左横方向に向くように時計方向に戻し回動させることで、ガラスユニット１４０の左端上側突起部１４４の背後に位置しなくなる。つまり、この状態では、左端上側止め部１６５の操作レバー１６６の先端部１６６ｂがガラスユニット１４０の左端上側突起部１４４の背後に位置しないため、ガラスユニット１４０の左端上側が前面枠セット１４の環状窪み領域部１０２から離間可能となる。
【０１１５】
また、左端下側止め部１６８は、図１３、図１４に示すように基端部１６９ａを回動軸心として先端部１６９ｂが回動可能な操作レバー１６９を備えている。図１３、図１４に示す水平姿勢の操作レバー１６９を、前面枠セット１４の背面視で上方向に向けるように基端部１６９ａを回動軸心として時計方向に回動させることで、当該操作レバー１６９の先端部１６９ｂが、ガラスユニット１４０の左端下側突起部１４５の背後に位置する。この状態では、左端下側止め部１６８の操作レバー１６９の先端部１６９ｂがガラスユニット１４０の左端下側突起部１４５の背後に位置しているため、ガラスユニット１４０の左端下側が前面枠セット１４の環状窪み領域部１０２から離間できないように規制される。
【０１１６】
なお、左端下側止め部１６８の操作レバー１６９を、前面枠セット１４の背面視で左横方向に向くように反時計方向に戻し回動させることで、ガラスユニット１４０の左端下側突起部１４５の背後に位置しなくなる。つまり、この状態では、左端下側止め部１６８の操作レバー１６９の先端部１６９ｂがガラスユニット１４０の左端下側突起部１４５の背後に位置しないため、ガラスユニット１４０の左端下側が前面枠セット１４の環状窪み領域部１０２から離間可能となる。
【０１１７】
次に、下部止め部１７０について図１５〜図１９も用いて説明する。図１５（ａ）は、下部止め部１７０が非止め位置にある状態の前面枠セット１４の背面図であり、図１５（ｂ）は、下部止め部１７０が止め位置にある状態の前面枠セット１４の背面図である。図１６（ａ）は、非止め位置にある下部止め部１７０の拡大図、図１６（ｂ）は、止め位置にある下部止め部１７０の拡大図である。図１７（ａ）、（ｂ）は、それぞれ図１５（ａ）、（ｂ）での球皿払出通路部品１９０を取り外した状態の前面枠セット１４の背面図である。図１８（ａ）、（ｂ）は、それぞれ図１７（ａ）、（ｂ）での下部止め部１７０の拡大図である。図１９（ａ）、（ｂ）は、図１５（ａ）、（ｂ）にそれぞれ示した前面枠セット１４のＢ−Ｂ線、Ｃ−Ｃ線断面図である。
【０１１８】
下部止め部１７０は、図１３、図１４に示すように、前面枠セット１４の背面視で窓部１０１の下部箇所に操作レバー１７１を備えている。図１６（ａ）及び図１８（ａ）に示す状態の操作レバー１７１を、図１６（ｂ）、図１８（ｂ）に示すように、前面枠セット１４の背面視で上方向にスライド移動させることで、その上部先端部分が上方向に進出してガラスユニット１４０の下部突起部１４６の背後に位置し、上部先端部分での下部突起部１４６側に形成された係止突起１７３（図１８（ｂ）及び図１９（ｂ）参照）がこの下部突起部１４６の係止穴１４６ａ（図１８（ｂ）及び図１９（ｂ）参照）に係止する。この状態では、操作レバー１７１の上部先端部分がガラスユニット１４０の下部突起部１４６の背後に位置しているため、ガラスユニット１４０の下部が前面枠セット１４の環状窪み領域部１０２から離間できないように規制される。また、図１６（ｂ）、図１８（ｂ）及び図１９（ｂ）に示すように係止突起１７３が下部突起部１４６の係止穴１４６ａに係止しているため、操作レバー１７１が自重で下方向に下がって図１６（ａ）及び図１８（ａ）に示す状態に戻ることもない。
【０１１９】
図１６（ｂ）、図１８（ｂ）及び図１９（ｂ）に示すように、下部止め部１７０の操作レバー１７１を上方向にスライド進出させた状態では、操作レバー１７１の上部先端部分がガラスユニット１４０の下部突起部１４６の背後に係止して当接した状態となっており、後述する補強棒１８０の対向長状部１８０ａが下部止め部１７０の背面に近接している（当接していてもよい）。こうすることで、例えば不正行為者などが上皿１９を手前側に強く引っ張ったり奥側に強く押し込んだりすることで前面枠セット１４での窓部１０１の下部箇所を撓ませて不正な隙間を生じさせようとしても、補強棒１８０により前面枠セット１４自体の不正な撓みの発生を低減できるし、ガラスユニット１４０の下部が前面枠セット１４の環状窪み領域部１０２から離間できないように規制する操作レバー１７１を、補強棒１８０によってさらに補強されているので、ガラスユニット１４０の下部と前面枠セット１４の環状窪み領域部１０２との間に不正な隙間を生じさせることを低減できる。
【０１２０】
これとは逆に、図１６（ａ）及び図１８（ａ）に示すように、下部止め部１７０の操作レバー１７１を前面枠セット１４の背面視で下方向にスライド移動させて、操作レバー１７１の係止突起１７３と、ガラスユニット１４０の下部突起部１４６での係止穴１４６ａとの係止を解除すると、操作レバー１７１が下方向に自重で後退し、操作レバー１７１の上部先端部分がガラスユニット１４０の下部突起部１４６の背後に位置しなくなる。つまり、この状態では、操作レバー１７１の上部先端部分がガラスユニット１４０の下部突起部１４６の背後に位置しないため、ガラスユニット１４０の下部が前面枠セット１４の環状窪み領域部１０２から離間可能となる。
【０１２１】
操作レバー１７１の係止突起１７３とガラスユニット１４０の係止穴１４６ａとの係止が解除されると、操作レバー１７１が自重で下方向に下がって図１６（ａ）及び図１８（ａ）に示す状態に戻るため、以下の効果を有する。
【０１２２】
パチンコ機１０（あるいは、前面枠セット１４）を遊技場（ホール）への輸送する際には、前面枠セット１４にガラスユニット１４０を取り付けた状態では当該ガラスユニット１４０のガラス板１３７が破損するおそれがあるため、ガラスユニット１４０を前面枠セット１４から取り外し、その代わりに前面枠セット１４の環状窪み領域部１０２に段ボールを取り付けた状態で輸送される。そして、遊技場（ホール）において前面枠セット１４の環状窪み領域部１０２から段ボールを取り外して、ガラスユニット１４０を取り付ける。
【０１２３】
例えば、ガラスユニット１４０の非取付状態において操作レバー１７１が自重で下方向にスライド移動しない構成、つまり、ガラスユニット１４０の非取付状態において作業者が操作レバー１７１を下方向にスライド移動させなければならない構成の場合には、前面枠セット１４の環状窪み領域部１０２から段ボールを取り外してから、ガラスユニット１４０を取り付ける前に、作業者が操作レバー１７１を下方向にスライド移動させる必要がある。ところが、操作レバー１７１の下方向スライド移動を忘れてしまうと、ガラスユニット１４０の取り付けの際に、操作レバー１７１がガラスユニット１４０に挟まれてしまい、操作レバー１７１が破損することがある。
【０１２４】
これに対して、この実施例のパチンコ機１０では、ガラスユニット１４０の非取付状態において操作レバー１７１が自重で下方向にスライド移動された状態となる（図１８（ａ）及び図１９（ａ）参照）ため、前面枠セット１４の環状窪み領域部１０２から段ボールを取り外すと、操作レバー１７１が自重で下方向にスライド移動された状態となる。よって、ガラスユニット１４０の取り付けの際に操作レバー１７１がガラスユニット１４０に挟まれることを防止でき、当該挟まれることで操作レバー１７１が破損することも防止できる。
【０１２５】
図１６（ａ）及び図１８（ａ）に示すように、下部止め部１７０の操作レバー１７１を下方向にスライド後退させた状態では、操作レバー１７１の上部先端部分は、ガラスユニット１４０の下部突起部１４６の背後に位置していないが、後述する補強棒１８０の対向長状部１８０ａに近接している。
【０１２６】
また、前面枠セット１４は、図１１に示すように、その前面側で且つ窓部１０１の周囲箇所のうちの下側範囲箇所（本実施例では、前面枠セット１４での窓部１０１の下部側から下皿１５の上部側に至るまでの範囲）に、払い出された遊技球を貯留し案内する、前方に突出した上皿１９を備えている。
【０１２７】
さらに、前面枠セット１４は、図１３及び図１７に示すように、その背面視で前記下側範囲箇所での窓部１０１に近い位置に、長状の補強棒１８０が、その長手方向が当該窓部１０１の下部に沿わせるようにして配設されている。この補強棒１８０は、例えば金属製部材であり、図１８に示すように前面枠セット１４の背面側にネジ止めされている。
【０１２８】
補強棒１８０は、図１３に示すように、下部止め部１７０を前面枠セット１４との間に挟むように配設されている。
【０１２９】
補強棒１８０は、その長手方向を窓部１０１の下部に沿わせるようにして配設されている。具体的には、図１７及び図１８に示すように、補強棒１８０の中央部分が窓部１０１の下部の近傍位置に位置し、当該補強棒１８０の中央部分以外の両端部分が前面枠セット１４の横幅方向に向かって延出した位置に位置している。こうすることで、例えば不正行為者などが上皿１９を手前側に強く引っ張ったり奥側に強く押し込んだりすることで前面枠セット１４での窓部１０１の下部箇所を撓ませて不正な隙間を生じさせようとしても、補強棒１８０によって、前面枠セット１４自体の不正な撓みの発生を低減できる。
【０１３０】
この補強棒１８０は、図１７に示すように、その左端から直線上に横方向（右方向）に延びた左側直線部１８１と、この左側直線部１８１から右下がりに緩やかに曲がった屈折部１８２と、この屈折部１８２から再び直線上に横方向（右方向）に延びて右端に至る右側直線部１８３とからなる一連形状を採用している。この左側直線部１８１は、前面枠セット１４の背面視で上皿１９の正面視右側箇所（背面視で左側箇所）に位置しており、屈折部１８２は、前面枠セット１４の背面視で上皿１９の正面視中央右側箇所（背面視で中央やや左側箇所）に位置しており、右側直線部１８３は、前面枠セット１４の背面視で上皿１９の正面視左側箇所（背面視で中央から右側箇所）に位置している。
【０１３１】
この補強棒１８０は、図１６及び図１９に示すように、前面枠セット１４に対向する長状の対向長状部１８０ａと、この対向長状部１８０ａから前面枠セット１４の後方向（前面枠セット１４の背面から突出した方向）に延出した延出部１８０ｂとを備えている。
【０１３２】
つまり、補強棒１８０は、図１９に示すように、縦断面視した状態でコの字形状となっており、対向長状部１８０ａの上端側及び下端側から前面枠セット１４の後方向（前面枠セット１４の奥向き方向）に延出部１８０ｂが延出した形状である。
【０１３３】
なお、延出部１８０ｂは、前面枠セット１４の後方向（前面枠セット１４の奥向き方向）に延出しているが、前面枠セット１４の前方向（前面枠セット１４の前面へ向かう方向）に延出するようにしてもよい。また、対向長状部１８０ａの上端側または下端側の一方のみに延出部１８０ｂを設けるようにして、縦断面視でＬノ字状としてもよい。
【０１３４】
また、図１２、図１９に示すように、前面枠セット１４は、その正面視で所定範囲箇所（窓部１０１よりも下部側の範囲）と重なる箇所に、当該箇所を略覆う大きさの金属製の補強板６０を、補強棒１８０とは別に備えている。
【０１３５】
また、前面枠セット１４は、その正面視で窓部１０１よりも上部箇所で且つ当該前面枠セット１４の横幅程度の範囲に亘る箇所に、図示省略の金属製の補強板を備えている。
【０１３６】
補強板６０は、前面枠セット１４（例えば、金属製の開閉軸Ｊ２など）を介して接地（アース）されている。また、金属製の補強棒１８０は、その対向長状部１８０ａの右端部のネジ穴にネジが挿入され、当該右端部が前面枠セット１４の補強板６０の一部に当接した状態で前面枠セット１４の背面側に締結されることで、補強棒１８０と補強板６０とが電気的に接続されている。
【０１３７】
また、前面枠セット１４は、図１３に示すように、その背面側に、払い出された遊技球を上皿１９や下皿１５に案内する払出通路部１９１を有する球皿払出通路部品１９０を備えている。
【０１３８】
この球皿払出通路部品１９０は、補強棒１８０の少なくとも一部（本実施例では、右側直線部１８３）を覆うようにして前面枠セット１４の背面側に取り付けられている。
【０１３９】
前面枠セット１４は、図１６に示すように、ガラスユニット１４０を当該前面枠セット１４の背面視で右端縦方向軸心を回動軸として回動させて窓部１０１の開口部１０１ａに取り付ける際に、ガラスユニット１４０の下部が乗り上がり当該ガラスユニット１４０を開口部１０１ａに案内する乗り上げ案内部１９２を備えている。この乗り上げ案内部１９２は、図１６に示すように、球皿払出通路部品１９０の上部箇所に設けられている。
【０１４０】
乗り上げ案内部１９２は、図１６に示すように、前面枠セット１４の開口部１０１ａの周囲下部箇所に配設され、開口部１０１ａに向けて上り勾配とした上り傾斜部１９３を例えば３個間隔を空けて横方向に並設したものである。
【０１４１】
続いて、本実施例のパチンコ機１０のさらなる特徴部分である上皿部２１について、図２０〜図３１を用いて説明する。
【０１４２】
図２０（ａ）、（ｂ）は上皿部２１の平面図、右側面図である。図２１は、上皿部２１の前方斜視図である。図２２は、上皿部２１の後方斜視図である。図２３は、上皿部２１でのＤ−Ｄ線、Ｅ−Ｅ線、Ｆ−Ｆ線を示す図である。図２４（ａ）〜（ｃ）は、上皿部２１のＤ−Ｄ線断面図、Ｅ−Ｅ線断面図、Ｆ−Ｆ線断面図である。図２５は、遊技球が貯留された状態での上皿部２１の平面図である。図２６（ａ）〜（ｃ）は、遊技球が貯留された状態での上皿部２１のＤ−Ｄ線断面図、Ｅ−Ｅ線断面図、Ｆ−Ｆ線断面図である。図２７は、上皿部２１でのＧ−Ｇ線、Ｈ−Ｈ線、Ｉ−Ｉ線、Ｊ−Ｊ線を示す図である。図２８（ａ）、（ｂ）は、上皿部２１のＨ−Ｈ線断面図、Ｊ−Ｊ線断面図である。図２９は、遊技球が貯留された状態の上皿部２１のＪ−Ｊ線断面図である。図３０（ａ）、（ｂ）は、上皿部２１のＩ−Ｉ線断面図、Ｇ−Ｇ線断面図である。図３１は、遊技球が貯留された状態の上皿部２１のＩ−Ｉ線断面図である。
【０１４３】
上皿部２１は、図２０〜図２２に示すように、賞球払い出しされた遊技球や貸し出された遊技球を排出する排出口１９ａと、この排出口１９ａから排出された遊技球が貯留可能で、一列に整列させながら発射装置２２９（図３参照）の方へ導出する上皿１９と、前面枠セット１４の背面側に位置する発射装置２２９の発射位置の方に、上皿１９の遊技球を１個ずつ排出可能な球出口２５１を有する球排出部２５０とを備えている。
【０１４４】
ここで、球排出部２５０について詳細に説明する。この球排出部２５０は、前面枠セット１４が内枠１２に対して開いた状態となると、図１３，図１４に示すように球出口２５１に進出する可動片２５２を備えている。よって、前面枠セット１４が内枠１２から開かれると、球出口２５１に可動片２５２が進出し、球出口２５１から遊技球の排出が防止される。つまり、前面枠セット１４の開状態において球出口２５１から遊技球がこぼれ出さないようにしている。また、この可動片２５２は、前面枠セット１４が内枠１２に対して閉じた状態となると、球出口２５１から後退し、球出口２５１から遊技球が排出可能となる。
【０１４５】
具体的には、球排出部２５０は、図１３，図１４に示すように、前面枠セット１４が内枠１２に閉じた状態となると当該内枠１２での挿入穴２５５に対応する箇所に設けられた挿入突起（図示省略）が挿入される挿入穴２５５と、この挿入穴２５５に内枠１２の挿入突起（図示省略）が挿入されることで押し込まれる被押し込み部２５６と、この被押し込み部２５６が押し込まれることで可動片２５２を球出口２５１から後退させ、且つ、被押し込み部２５６が非押し込みになると可動片２５２を球出口２５１に進出させる伝達部材２５７とを備えている。
【０１４６】
前面枠セット１４の開状態では、図１６に示すように、球排出部２５０の可動片２５２が球出口２５１を遊技球が通過不可に右側に突出した状態となっているため、この状態では、球出口２５１から遊技球が送り出されない。これに対して、前面枠セット１４の閉状態では、球排出部２５０の可動片２５２が図１６紙面で左側にスライド移動して、球出口２５１を遊技球が通過可能に開かれた状態となり、球出口２５１から遊技球が排出可能となる。
【０１４７】
次に、上皿１９について詳細に説明する。上皿１９は、図２０〜図２２に示すように、賞球払い出しされた遊技球や貸し出された遊技球を貯留可能でこの貯留球を発射装置２２９側に送る球流路を形成するものであって、当該球流路の下流側で最底面に形成された流路幅が狭くなった狭窄流路４０５を有する球流路を形成する流路形成用周囲壁４１０を備えている。
【０１４８】
この流路形成用周囲壁４１０が形作る上記の球流路は、図２０に示すように、排出口１９ａに近い上流側であって上皿１９の平面視で前方に膨出した膨出流路４０１と、この膨出流路４０１の下流側に連通し、最底面に形成された狭窄流路４０５とを備えている。上皿１９の平面視で流路形成用周囲壁４１０に囲われた底面は、膨出流路４０１の上流側から狭窄流路４０５の下流側に向けて下り傾斜している。また、この上皿１９の底面は、膨出流路４０１については当該膨出流路４０１の手前側から奥側に向けて下り傾斜しているし、図２４に示すように、狭窄流路４０５については後述する迂回面４７５が金属面４０７に向けて下り傾斜している。
【０１４９】
この膨出流路４０１は、図２５に示すように、平面視において、最大膨出箇所において８ｃｍ程度の前後幅を有しており、奥側の壁から手前側の壁までに遊技球を７、８個程度並ぶことが可能である。また、膨出流路４０１は、図２９に示すように、図２７に示すＪ−Ｊ線上の箇所において高さ方向に例えば５、６段の遊技球の積み重なって貯留することが可能である。
【０１５０】
この狭窄流路４０５は、図２５に示すように、平面視において、膨出流路４０１で前後幅方向に最大７、８個程度並んだ遊技球を最終的に１列に整列規制するように、上皿１９の平面視で手前側の壁が奥側の壁に近づけるような曲線形状としている。
【０１５１】
この狭窄流路４０５は、図２３に示すように、上皿１９の平面視で奥側の壁に沿う箇所（遊技球が１列に整列される箇所）に、上皿１９の平面視で横幅が遊技球約１個分で縦幅が遊技球約１０個分とした長方形形状の金属面４０７を備えている。この金属面４０７は鏡面性を有する。このように、金属面４０７は、鏡面性を有するものとしているので、例えば上皿１９での貯留球数が後述する乗り上げ屋根面４７１（図２３参照）の下方に隠れる程度に少なくなった場合に、金属面４０７での図２３に示す乗り上げ屋根面４７１の左側箇所を膨出流路４０１の上方から斜視することで、その金属面４０７に映る当該貯留球での最上流球の一部をこの金属面４０７で反射して見ることができ、上皿１９の平面視では乗り上げ屋根面４７１に隠れて見えない貯留球の最上流球を目視できる。また、狭窄流路４０５は、図２９に示すように、図２７に示すＪ−Ｊ線上の箇所において高さ方向に例えば５、６段の遊技球の積み重なって貯留することが可能である。
【０１５２】
図２１〜図２３に示すように、流路形成用周囲壁４１０は、膨出流路４０１と狭窄流路４０５とからなる球流路の底面の周縁部分が上方向に突き出た壁である。
【０１５３】
また、上皿１９は、図２０〜図２２に示すように、当該パチンコ機１０の平面視において、流路形成用周囲壁４１０のうちで狭窄流路４０５に接する所定壁部である幅広壁４１５の前後幅を他の壁部４１１（図２０、図２１では破線矢印の幅の壁部である）よりも長くすることで当該幅広壁４１５（図２０、図２１では二点鎖線矢印の箇所では当該二点鎖線矢印の幅の壁部である）の上面に形成された前後幅広面４２０を備えている。
【０１５４】
この前後幅広面４２０は、図２４（ｂ）、（ｃ）に示すように、当該パチンコ機１０の前方に向けて下り傾斜する傾斜面である。
【０１５５】
また、上皿１９は、図２０〜図２２に示すように、幅広壁４１５の上端で且つ狭窄流路４０５側が該パチンコ機１０の平面視において当該狭窄流路４０５に向けて迫り出した突出部４３０を備えている。
【０１５６】
この突出部４３０は、図２４、図２６に示すように、狭窄流路４０５の上流側ではその突出量が小さく、下流側に行くに連れてその突出量が大きくなっている。図２６（ａ）に示すように、突出部４３０の上面４３０ａは、狭窄流路４０５の下流側に向かうほど高くなるように緩やかに傾斜しているので、突出部４３０の上面４３０ａに乗り上げた遊技球が狭窄流路４０５の上流側の方に導き易くなっている。
【０１５７】
また、図２５、図３０及び図３１に示すように、突出部４３０の下方には、遊技球の少なくとも一部が入り込むことが可能な窪み部４３５が形成されている。窪み部４３５は、突出部４３０が突出することで当該突出部４３０の下方に形成された窪み空間である。また、図３１に示すように、突出部４３０の下面４３０ｂは、後述する窪み部４３５の下面４３５ａの下り傾斜と対応するように、狭窄流路４０５の下流側に向かうほど低くなるように緩やかに傾斜しているので、窪み部４３５に入り込んだ遊技球を後述する迂回面４７５の球戻し谷部４７５ａの方に導き易くなっている。
【０１５８】
なお、突出部４３０の突出量を一定としたり、狭窄流路４０５の上流側ほど突出量が大きくなるようにしてもよい。また、本実施例では、窪み部４３５内に遊技球が最大で１個入り込む大きさとしているが、複数個の遊技球が入り込むようにさらに窪んだ形状としたり、上下方向に２段以上積み重なった状態で遊技球が入り込むようにさらに深さのある窪み形状としてもよい。また、このように窪み部４３５が大きく窪んだり深く窪んだりする構成において、強度が必要な場合には、剛性のある部材（例えば金属部材、厚みのある樹脂成形品）で窪み部４３５を形成したり、窪み空間内に上下に渡す補強柱を形成したりしてもよい。
【０１５９】
また、この突出部４３０は、図２４に示すように、その背面側の空間内に突出形成された支持片４３１を備え、この支持片４３１が、演出用操作ボタン４５１、左指示用操作ボタン４５５ａ、右指示用操作ボタン４５５ｂを支持する支持部材４５０の奥側壁部４５０ａでの突出片４５０ｂを支持する。このようにすることで、突出部４３０の背面側空間を支持部材４５０の支持部として有効活用でき、支持部材４５０をさらに上皿１９の奥側に位置させるように配設でき、演出用操作ボタン４５１などをより上皿１９の奥側に位置させることができる。
【０１６０】
また、上皿１９は、図２０〜図２２に示すように、前後幅広面４２０と突出部４３０の上面４３０ａとで形成される操作面であって、遊技者に操作される各種の操作ボタンが配設される迫出前後幅広操作面４４０を備えている。
【０１６１】
各種の操作ボタンとしては、図２０〜図２２に示すように、前述した球貸しボタン１２１及び返却ボタン１２２の他に、演出用操作ボタン４５１、左指示用操作ボタン４５５ａ、右指示用操作ボタン４５５ｂ、球抜き操作ボタン４６０が挙げられる。
【０１６２】
図２０〜図２２に示す演出用操作ボタン４５１は、第３図柄（装飾図柄）を変動表示する第３図柄表示装置４２において所定の変動表示演出（例えば、スーパーリーチなど）が表示された場合に、遊技者への操作を促す表示がなされ、かかる操作指示に従って遊技者が押下操作する操作ボタンである。遊技者がこの演出用操作ボタン４５１を操作することで、例えば、遊技者にとって有利な遊技結果が得られたり、種々の表示演出が実行されたりして、遊技の興趣性向上が図られている。
【０１６３】
演出用操作ボタン４５１は、その奥側端が当該パチンコ機１０の平面視で狭窄流路４０５に接するように配設されている
【０１６４】
図２０〜図２２に示す左指示用操作ボタン４５５ａ及び右指示用操作ボタン４５５ｂは、第３図柄表示装置４２での表示内容について、遊技者が左指示したり、右指示したりするための操作ボタンである。
【０１６５】
図２０〜図２２に示す球抜き操作ボタン４６０は、上皿１９に貯留する遊技球を発射装置２２９（図３参照）へ導くことなく下皿１５に排出するために、遊技者によって押下操作される操作ボタンである。球抜き操作ボタン４６０が押下されると、図２９、図３１に示すように、狭窄流路４０５の下流端の底面箇所である球抜き用底部４０８がスライド移動することで当該底面箇所が開口された状態となり、上皿１９に貯留する遊技球がこの開口から落下して排出口１６を経て下皿１５に排出される。
【０１６６】
球抜き操作ボタン４６０について、図３２〜図３５も用いて説明する。図３２（ａ）は、球抜き操作ボタン４６０が非押下であるときの上皿部２１の斜視図、図３２（ｂ）は、球抜き操作ボタン４６０が押下されたときの上皿部２１の斜視図である。図３３は、上皿部２１でのＫ−Ｋ線を示す図である。図３４（ａ）は、球抜き操作ボタン４６０が非押下であるときの上皿部２１のＫ−Ｋ線断面図、図３４（ｂ）は、球抜き操作ボタン４６０が押下されたときの上皿部２１のＫ−Ｋ線断面図である。図３５（ａ）、（ｂ）は、球抜き操作ボタン４６０が非押下であって遊技球が貯留された状態の上皿部２１の斜視図、Ｋ−Ｋ線断面図である。
【０１６７】
さらに、この球抜き操作ボタン４６０は、図３２〜図３５に示すように、当該パチンコ機１０の平面視において、流路形成用周囲壁４１０での狭窄流路４０５に接する箇所に、遊技者に押下操作されることで動く球接触ボタン部４６１を備えている。
【０１６８】
図３２（ａ）では、球抜き操作ボタン４６０が非押下状態であり、球接触ボタン部４６１が上位置に位置したままで狭窄流路４０５に面している。図３５に示すように、上皿１９に遊技球が貯留されると、狭窄流路４０５の下流側での上層の貯留球が球接触ボタン部４６１に接触している。そして、図３２（ｂ）、図３４（ｂ）に示すように、遊技者が球抜き操作ボタン４６０を押下すると、球接触ボタン部４６１が狭窄流路４０５に面したままで下方向に移動するため、狭窄流路４０５の下流側での上層の貯留球に変化を与えることができるとともに、図２９、図３１に示すように、狭窄流路４０５の下流端の底面箇所である球抜き用底部４０８も開口されるので、狭窄流路４０５の下層側の貯留球についても変化を与えることができる。
【０１６９】
また、演出用操作ボタン４５１は、図２１、図２３に示すように、左指示用操作ボタン４５５ａ及び右指示用操作ボタン４５５ｂよりも前後幅が大きいものである。具体的には、演出用操作ボタン４５１の前後幅（図２３のＤ−Ｄ線上の長さ）は、例えば約７ｃｍであり、左指示用操作ボタン４５５ａ及び右指示用操作ボタン４５５ｂの前後幅（図２３のＦ−Ｆ線上の長さ）は、例えば約１ｃｍである。また、演出用操作ボタン４５１が下方向に例えば２．５ｍｍ程度押下可能であり、左指示用操作ボタン４５５ａ及び右指示用操作ボタン４５５ｂが下方向に例えば１ｍｍ程度押下可能であるため、演出用操作ボタン４５１は、左指示用操作ボタン４５５ａ及び右指示用操作ボタン４５５ｂよりも押下操作深さも大きいものである。
【０１７０】
図２３に示すように、左指示用操作ボタン４５５ａ及び右指示用操作ボタン４５５ｂは、迫出前後幅広操作面４４０での前後幅方向の中心箇所よりも手前側に位置している。また、図２３に示すように、演出用操作ボタン４５１は、その操作中心軸Ｐ１が迫出前後幅広操作面４４０での前後幅方向の中心箇所Ｐ２よりも奥側に位置するとともに、当該パチンコ機１０の平面視でその奥側端が狭窄流路４０５に接するように配設されている。
【０１７１】
上皿１９は、図２３、図２９、図３１及び図３２に示すように、狭窄流路４０５の下流側端部の上部箇所に配設され、当該狭窄流路４０５において一列に並んだ一列球上に所定数（例えば３個以上）の遊技球が積み重なった場合に上層の遊技球（３個目以上の遊技球）が当該一列球の進行方向に乗り上げ可能な乗り上げ屋根面４７１を備えている。
【０１７２】
また、上皿１９は、図２９及び図３１に示すように、乗り上げ屋根面４７１の下面に形成された、当該下面下での一列球上の遊技球の積み重なりを一層（一段）に規制するように当該下流方向に進むにつれて高さが低くなる下り天面４７３を備えている。
【０１７３】
また、上皿１９は、図２３〜図２８、図３２及び図３３に示すように、当該パチンコ機１０の平面視で乗り上げ屋根面４７１に連接するとともに狭窄流路４０５の横側で当該狭窄流路４０５に向けて下り傾斜に形成された迂回面４７５を備えている。
【０１７４】
具体的には、迂回面４７５は、図３１及び図３３に示すように、当該パチンコ機１０の平面視で乗り上げ屋根面４７１の下流側に連接して下り傾斜した迂回第１傾斜面４７５ｂと、窪み部４３５の下面４３５ａに連接して狭窄流路４０５に向けて下り傾斜した迂回第２傾斜面４７５ｃとを備えている。そして、迂回第１傾斜面４７５ｂと迂回第２傾斜面４７５ｃとの境界線箇所に形成された球戻し谷部４７５ａは、狭窄流路４０５の流下方向中央箇所と乗り上げ屋根面４７１との間の箇所に向けて下り傾斜した谷部としている。
【０１７５】
迂回第１傾斜面４７５ｂ及び迂回第２傾斜面４７５ｃは、図３３に示す矢印方向にそれぞれ下り傾斜している。球戻し谷部４７５ａは、図３３に示す破線矢印方向に下り傾斜している。よって、乗り上げ屋根面４７１に乗り上げて迂回第１傾斜面４７５ｂで迂回させた遊技球は、球戻し谷部４７５ａを下って、乗り上げ屋根面４７１から離れた位置で狭窄流路４０５へ戻されるので、乗り上げ屋根面４７１への乗り上げ球と球戻し谷部４７５ａでの戻し球との干渉が少なく、迂回させた遊技球をスムーズに狭窄流路４０５へ戻すことができる。なお、突出部４３０の上面４３０ａは、図３３に示す矢印方向に下り傾斜しているので、突出部４３０の上面４３０ａに乗り上げた遊技球が狭窄流路４０５の上流側の方に導き易くなっている。
【０１７６】
図３４に示すように、迂回第２傾斜面４７５ｃでの窪み部４３５と連通される端部側は、窪み部４３５の下面４３５ａの下端側よりも低い位置にある。つまり、この迂回第２傾斜面４７５ｃと下面４３５ａとの境界箇所に、高低差を生じさせる段差部４３６が形成されている。この段差部４３６を形成することなく窪み部４３５の下面４３５ａと迂回第２傾斜面４７５ｃとを一体の傾斜面Ｋ１とする場合（図３４で破線で示す傾斜面Ｋ１）に比べて、下面４３５ａの勾配が緩やかになっているので、下面４３５ａの遊技球がそれよりも下流側である迂回第２傾斜面４７５ｃの遊技球にかかる力を低減できる。このように、窪み部４３５内の遊技球が迂回第２傾斜面４７５ｃの遊技球にかかる球圧を低減することができるので、窪み部４３５内の遊技球の球圧による球詰まりの発生を低減できる。
【０１７７】
また、上皿１９は、図２１、図２４（ａ）、図２６（ａ）、図２８、図２９及び図３２に示すように、上層の遊技球（３層以上の遊技球）を当該上皿１９の平面視で迂回面４７５の方に逃がす逃がし突出面４７７を備えている。
【０１７８】
具体的には、逃がし突出面４７７は、図２１、図２４（ａ）及び図２９に示すように、狭窄流路４０５の下流方向に進むにつれて高さが低くなるとともに、当該流下方向視で狭窄流路４０５の横幅一端側（遊技者に近い手前側）の方に向くように傾斜している。
【０１７９】
また、上皿部２１は、図２４（ｂ），（ｃ）に示すように、その底面手前側箇所からその下方に位置する下皿１５までの間隔が広くなるように、上皿１９の前方に向かうに連れて上り傾斜となる傾斜底部２１ａを備えている。この傾斜底部２１ａによって、上皿部２１の底面手前側箇所からその下方の下皿１５までの高さ間隔を広くとることができ、下皿１５への間口を広くでき、下皿１５に貯留された遊技球が取り出し易い。
【０１８０】
また、上述した前面枠セット１４が後述する遊技機本体に相当し、上述した上皿１９が球皿部に相当し、上述した発射装置２２９が遊技球発射装置に相当し、上述した狭窄流路４０５及び迂回面４７５が下流側流路に相当し、上述した流路形成用周囲壁４１０が流路形成周囲壁部に相当し、上述した幅広壁４１５が第１壁部に相当し、上述した前後幅広面４２０が前後幅広上面に相当し、上述した突出部４３０が迫り出し部に相当し、上述した迫出前後幅広操作面４４０が上面、迫り出し操作面に相当し、上述した演出用操作ボタン４５１が操作部、第２操作部に相当し、上述した左指示用操作ボタン４５５ａ、右指示用操作ボタン４５５ｂが操作部、第１操作部に相当し、上述した球接触ボタン部４６１が被動作部に相当し、上述した乗り上げ屋根面４７１が乗り上げ屋根部に相当し、上述した下り天面４７３が下り天面部に相当し、上述した迂回面４７５が迂回部に相当し、上述した逃がし突出面４７７が逃がし突出部に相当する。
【０１８１】
上述したように、本実施例１のパチンコ機１０によれば、前面枠セット１４の前面に配設される、払い出された遊技球を貯留する上皿１９と、この上皿１９から案内されてきた遊技球を遊技者の発射操作に応じて遊技領域に発射する発射装置２２９と、を備え、払い出された遊技球を貯留可能でこの貯留球を発射装置２２９の側に送る上皿１９の球流路のうちで平面視において下流側に形成された流路幅の狭い下流側流路（狭窄流路４０５及び迂回面４７５）と、パチンコ機１０の平面視において下流側流路に対して上皿１９の遊技者側に形成され、迂回面４７５の一部である窪み部４３５の下面４３５ａに一部が重なった迫出前後幅広操作面４４０と、この迫出前後幅広操作面４４０のうち前記重なる範囲に対応した横方向の範囲（図２０（ａ）の破線横方向矢印の範囲）内に演出用操作ボタン４５１が位置するように配設されている。
【０１８２】
よって、上皿１９の迫出前後幅広操作面４４０は、パチンコ機１０の平面視で迂回面４７５の一部である窪み部４３５の下面４３５ａに重なるので、前後幅広面４２０から下流側流路の方に拡大した（迫出前後幅広操作面４４０）までを含めて大きな操作面とすることができる。この大きな操作面に演出用操作ボタン４５１、左指示用操作ボタン４５５ａ及び右指示用操作ボタン４５５ｂを広く配設したり大きな演出用操作ボタン４５１を配設したりできるので、遊技者が遊技領域を見ながら操作する場合にも、操作ミスや操作間違いを低減できる。
【０１８３】
また、上皿１９の平面視でその上面での下流側流路の重なり箇所（突出部４３０の下部の窪み部４３５）に、遊技球が入り込むことができ、上皿１９での貯留球数の低減を抑止できる。
【０１８４】
具体的には、上皿１９は、払い出された遊技球を貯留可能でこの貯留球を前記発射装置２２９側に送る球流路を形成するものであって、当該球流路の下流側に流路幅が狭くなった狭窄流路４０５を有する球流路を形成する流路形成用周囲壁４１０と、当該パチンコ機１０の平面視において、流路形成用周囲壁４１０のうちで狭窄流路４０５に接する所定壁部である幅広壁４１５の前後幅を他の壁部４１１よりも長くすることで当該幅広壁４１５の上面に形成された前後幅広面４２０と、幅広壁４１５の上端で且つ狭窄流路４０５側が該パチンコ機１０の平面視において当該狭窄流路４０５に向けて迫り出した突出部４３０と、前後幅広面４２０と突出部４３０の上面４３０ａとで形成される操作面であって、遊技者に操作される演出用操作ボタン４５１、左指示用操作ボタン４５５ａ及び右指示用操作ボタン４５５ｂが配設される迫出前後幅広操作面４４０と、を備えている。
【０１８５】
したがって、前面枠セット１４の前面に配設される上皿１９は、その流路形成用周囲壁４１０での狭窄流路４０５に接する前後幅が長い幅広壁４１５の上面である前後幅広面４２０と、幅広壁４１５の上端で且つ狭窄流路４０５側が当該狭窄流路４０５に向けて迫り出した突出部４３０の上面４３０ａと、で形成される迫出前後幅広操作面４４０を備えているので、奥側に拡大した大きな操作面とすることができる。この大きな操作面に演出用操作ボタン４５１、左指示用操作ボタン４５５ａ及び右指示用操作ボタン４５５ｂを広く配設したり大きな演出用操作ボタン４５１を配設したりできるので、遊技者が遊技領域を見ながら操作する場合にも、操作ミスや操作間違いを低減できる。
【０１８６】
また、幅広壁４１５は、その上端で且つ狭窄流路４０５側が当該狭窄流路４０５に向けて迫り出した突出部４３０としているので、この幅広壁４１５での突出部４３０の下部に遊技球が入り込むことができ、上皿１９での貯留球数の低減を抑止できる。
【０１８７】
よって、上皿１９の上面を大きな操作面としつつ、貯留球数の低減を抑止できる遊技機を提供することができる。
【０１８８】
さらに、突出部４３０は、狭窄流路４０５に向けて迫り出しているので、狭窄流路４０５での貯留球の積み上げが突出部４３０によって所定高さまでに制限でき、狭窄流路４０５での貯留球が操作面の方に溢れ出すことを低減できる。これに対して、上皿１９の流路形成用周囲壁４１０のうちで狭窄流路４０５に接する箇所以外の壁部（つまり、パチンコ機１０の平面視で手間側に膨らんだ形状とした遊技球を貯留する膨出流路４０１に接する壁部）には、突出部４３０を備えていないので、遊技者が貯留球を取り出そうとする場合に、突出部４３０で邪魔されることがなく、貯留球が取り出し易い。
【０１８９】
また、演出用操作ボタン４５１、左指示用操作ボタン４５５ａ及び右指示用操作ボタン４５５ｂは、上皿１９の上面である操作面に設けられているので、演出用操作ボタン４５１などが前方に突出することがなく、上皿１９の前面側面部に操作ボタンを突出配置する従来構成に起因する遊技者への圧迫感を低減できる。
【０１９０】
また、演出用操作ボタン４５１、左指示用操作ボタン４５５ａ及び右指示用操作ボタン４５５ｂは、下方向または略下方向に押下操作されるものとしている。つまり、上皿１９の上面である迫出前後幅広操作面４４０に配設された演出用操作ボタン４５１、左指示用操作ボタン４５５ａ及び右指示用操作ボタン４５５ｂは、遊技者の指や手を下ろすように下方向または略下方向に押下操作されるので、パチンコ機１０に向かって水平方向に押し込む操作の場合に比べて、手の負担が少なく操作できる。
【０１９１】
また、前後幅広面４２０は、当該パチンコ機１０の前方に向けて下り傾斜する傾斜面としているので、前後幅広面４２０の上に落下した遊技球が当該傾斜面を下って排出され、前後幅広面４２０の上に遊技球が滞留することを低減できる。また、前後幅広面４２０は、手前側が下り傾斜しているので、前後幅広面４２０を傾斜していない平面構成とした場合と比べて、上皿１９に遊技球を手で入れ易いし、上皿１９に貯留されている貯留球が取り出し易い。
【０１９２】
また、演出用操作ボタン４５１は、その奥側端が当該パチンコ機１０の平面視で狭窄流路４０５に接するように配設されているので、遊技者がその左手の指を上皿１９の内側に伝わせると、上皿１９を見なくても当該上皿１９での遊技球の貯留数量の程度を把握できるのみならず、突出部４３０で狭窄流路４０５に接する演出用操作ボタン４５１に触れることができ、遊技領域を見ながら、演出用操作ボタン４５１の位置把握とその操作とを行うことができる。
【０１９３】
また、演出用操作ボタン４５１は、その操作中心軸が迫出前後幅広操作面４４０での前後幅方向の中心箇所よりも奥側に位置している。つまり、演出用操作ボタン４５１は、上皿１９の手前側よりも奥側で厚みのある箇所に位置しているので、左指示用操作ボタン４５５ａ及び右指示用操作ボタン４５５ｂよりも押下操作深さが大きい演出用操作ボタン４５１を配設することができる。さらに、この演出用操作ボタン４５１は、当該パチンコ機１０の平面視で狭窄流路４０５に接するように配設されているので、左指示用操作ボタン４５５ａ及び右指示用操作ボタン４５５ｂよりも前後幅が大きく、迫出前後幅広操作面４４０の奥側まで至る大きさとすることができる。また、左指示用操作ボタン４５５ａ及び右指示用操作ボタン４５５ｂは、迫出前後幅広操作面４４０での前後幅方向の中心箇所よりも手前側に位置しているので、迫出前後幅広操作面４４０での前後幅の半分以下の大きさであり、左指示用操作ボタン４５５ａ及び右指示用操作ボタン４５５ｂと演出用操作ボタン４５１との相対差を大きくすることができ、遊技領域を見ながら操作される場合にも誤操作を低減できる。
【０１９４】
また、球抜き操作ボタン４６０は、パチンコ機１０の平面視において流路形成用周囲壁４１０での狭窄流路４０５に接する箇所の球接触ボタン部４６１を備えている。よって、この球接触ボタン部４６１は、遊技者による操作により動くので、狭窄流路４０５での貯留球の貯留状態に変化を与えることができ、狭窄流路４０５での球詰まりを低減できる。具体的には、遊技者が球抜き操作ボタン４６０を操作することで、上皿１９の狭窄流路４０５に待機される最下層の遊技球が下皿１５に返却されることで最下層の遊技球の貯留状態に変化を与えることができるとともに、上皿１９の狭窄流路４０５に待機される最下層よりも上層の遊技球（３層目以上の遊技球であって乗り上げ屋根面４７１に乗り上げた遊技球）が球接触ボタン部４６１の動きでその貯留状態に変化を与えることができ、狭窄流路４０５の最下層及びそれよりも上層の貯留球についての球詰まりを低減できる。また、狭窄流路４０５の最下層での球詰まりは、外部からは見えないあるいは見えにくいので、このように外部から見えない球詰まりについてもそれを解消できる点で有効である。
【０１９５】
また、上皿１９は、狭窄流路４０５の下流側端部の上部箇所に配設され、当該狭窄流路４０５において遊技球が複数個積み重なった一列球のうち上層の遊技球（３層以上の遊技球）が当該一列球の進行方向に乗り上げ可能な乗り上げ屋根面４７１と、この乗り上げ屋根面４７１の下面に形成された、当該下面下での積み重なった一列球を一層に規制するように当該下流方向に進むにつれて高さが低くなる下り天面４７３と、当該パチンコ機１０の平面視で前記乗り上げ屋根面４７１に連接するとともに狭窄流路４０５の横側で当該狭窄流路４０５に向けて下り傾斜に形成された迂回面４７５と、を備えている。
【０１９６】
したがって、狭窄流路４０５の下流側端部の上部箇所に位置する乗り上げ屋根面４７１は、当該狭窄流路４０５で複数個積み重なった一列球のうち上層の遊技球（３層以上の遊技球）が当該一列球の進行方向に乗り上げさせ、狭窄流路４０５の下流側での一列球上の積み重なりを所定段に制限できる。また、この乗り上げ屋根面４７１に乗り上げた遊技球は、迂回面４７５によって、当該狭窄流路４０５の上流側に迂回させることができる。また、乗り上げ屋根面４７１の下面に形成された下り天面４７３は、下流方向に進むにつれて高さが低くなっており、当該下面下での積み重なった一列球を一層に規制することができる。
【０１９７】
また、逃がし突出面４７７は、狭窄流路４０５において遊技球が複数個積み重なった一列球のうち上層の遊技球（３層以上の遊技球）を、上皿１９の平面視で迂回面４７５の方に逃がすので、上層の遊技球（３層以上の遊技球）を迂回面４７５にスムーズに供給できる。また、乗り上げ屋根面４７１に乗り上がる遊技球は、狭窄流路４０５の真上ではなく迂回面４７５側に逃がして乗り上げさせることができ、乗り上げた遊技球は迂回面４７５へ供給されるものであるため、狭窄流路４０５へ向かう遊技球が乗り上げ球によって停滞することも低減できる。また、貯留球がさほど多くない場合（逃がし突出面４７７に接触する程度に貯留球が存在するものの、乗り上げ屋根面４７１に乗り上がるまでに至らない数量の場合）には、逃がし突出面４７７で直接に迂回面４７５に供給される。よって、当該上層の遊技球を効率良く迂回面４７５に供給でき、この迂回面４７５から再び狭窄流路４０５の上流側に戻すことができる。
【０１９８】
また、逃がし突出面４７７は、狭窄流路４０５の下流方向に進むにつれて高さが低くなるとともに、当該流下方向視で前記狭窄流路４０５の横幅一端側の方に向くように傾斜しているので、狭窄流路４０５において遊技球が複数個積み重なった一列球のうち上層の遊技球（３層以上の遊技球）をその積み上げ高さを崩しながら当該一列球の進行方向と直交する横方向に逃がしていくことができ、当該一列球のうち上層の遊技球（３層以上の遊技球）を滞らせずに迂回面４７５の方に逃がすことができる。
【０１９９】
本発明は、上記実施形態に限られることはなく、同様の効果を奏する別の構成としてもよく、例えば下記のように変形実施することができる。
【０２００】
＜１＞上述した実施例では、上皿１９において迫出前後幅広操作面４４０に対応した横方向の範囲（図２０（ａ）の破線横方向矢印の範囲）内に演出用操作ボタン４５１の全部が位置するように当該演出用操作ボタン４５１が配設されているが、演出用操作ボタン４５１の一部が当該横方向の範囲内に位置するように配設してもよいし、演出用操作ボタン４５１を形成する部品の一部が位置するように配設してもよい。
【０２０１】
＜２＞上述した実施例では、操作部として、遊技者によって押下操作される演出用操作ボタン４５１、左指示用操作ボタン４５５ａ及び右指示用操作ボタン４５５ｂを採用しているが、水平方向、前後方向、回動方向に操作される各種の操作部（スライドレバー、ジョイスティック、ダイヤルなど）を採用してもよい。
【０２０２】
＜３＞また、図３６（ａ）に示すように、下皿１５は、上皿１９の前後幅広面４２０（前方に下り傾斜した傾斜面）から落下してきた遊技球を受け取り可能なように、平面視で上皿１９よりも前方に突出した形状としてもよい。具体的には、パチンコ機１０の平面視で下皿１５の貯留領域（図３６（ａ）では上皿１９に隠れて見えない）の少なくとも一部が上皿１９よりも遊技者側に延出した延出領域１５ｂとすることが挙げられる。この場合には、上皿１９の前後幅広面４２０に落下した遊技球は、当該前後幅広面４２０の傾斜方向に下って下皿１５の方に落下し、この下皿１５で受け取られるので、当該落下球を遊技者が失うことを低減できるし、遊技場の床面に遊技球が散乱することも低減できる。
【０２０３】
また、図３６（ａ）に示すように、下皿１５は、上皿１９の他の壁部１１から落下した遊技球も受け取り可能なように、平面視で上皿１９の他の壁部１１（特に、上皿１９の膨出流路４０１での最大膨出箇所に対応する、他の壁部４１１での対応箇所ＢＤを含む壁部）よりも前方に突出した形状としている。例えば、上皿１９の膨出流路４０１での最大膨出箇所に対応する、他の壁部４１１での対応箇所ＢＤから遊技者が上皿１９の方に手を入れて上皿１９の貯留球を手で取り出そうとすることがあるが、この際に当該箇所ＢＤからこぼれ出た落下球も下皿１５で受け取ることができる。
【０２０４】
また、下皿１５は、図３６（ａ）に示すように、平面視で上皿１９の外形に沿った形状（例えば、上皿１９の外形形状と同様の形状）としているので、パチンコ機１０の平面視で上皿１９の外形から遊技者側に広がる延出領域１５ｂの遊技者側方向の距離を一定とすることができ、上皿１９の前後幅広面４２０での何れの箇所にから落下した遊技球も受け取ることができ、平面視で上皿１９に対する下皿１５の前方突出量を必要最小限に止めることができる。
【０２０５】
また、延出領域１５ｂは、パチンコ機１０の平面視で、遊技球を排出する円形排出部１５ａ（後述する排出口に相当する）を備えるとともに、この円形排出部１５ａに向かうように下り傾斜しているので、下皿１５の貯留球が遊技者に近い側に貯留され、遊技者は下皿１５での貯留球数を把握し易い。また、球抜きレバー１７を操作することで下皿１５の円形排出部１５ａを開状態にし、貯留球を下皿１５の下方の搬送用容器（いわゆる、ドル箱）に排出することができる。
【０２０６】
＜４＞また、図３６（ｂ）に示すように、上皿１９は、前後幅広面４２０に位置する遊技球を案内する落下防止壁４８５と、この落下防止壁４８５で案内された遊技球を上皿１９に戻す案内溝４８７とを備えている。なお、上述した落下防止壁４８５及び戻す案内溝４８７が後述する球戻し手段に相当する。
【０２０７】
具体的には、落下防止壁４８５は、上皿１９の平面視で、この上皿１９の前端上面箇所で且つ略中央位置から右端側位置にかけて立設された壁である。この落下防止壁４８５は、その高さを例えば遊技球の直径程度としているが、遊技球の半径程度やそれら以外の高さを採用して遊技球の落下防止を図るようにしてもよい。また、上皿１９の前後幅広面４２０における落下防止壁４８５に沿って遊技球が流下する範囲箇所は、上皿１９の右端側から中央側に向かうに連れて低くなっている。
【０２０８】
案内溝４８７は、遊技球の直径以上の溝幅を有し、その底面が下流側に向かうほど下り傾斜するように、その溝深さが深くなっている。具体的には、案内溝４８７は、図３６（ｂ）のＬ１−Ｌ１線断面箇所での溝深さは、深さＤ１であり、図３６（ｂ）のＬ２−Ｌ２線断面箇所での溝深さは、深さＤ２（Ｄ２＞Ｄ１）であり、図３６（ｂ）のＬ３−Ｌ３線断面箇所での溝深さは、深さＤ３（Ｄ３＞Ｄ２＞Ｄ１）である。
【０２０９】
この構成によれば、上皿１９での前後幅広面４２０（傾斜面）のうちで当該上皿１９の中央から右側の範囲内に落下した遊技球は、前方に下り傾斜する前後幅広面４２０に沿って前方に下り案内されて落下防止壁４８５に到達し、この落下防止壁４８５に沿って上皿１９の中央側に下り案内され、この遊技球が今度は案内溝４８７を下って上皿１９に戻される。また、上皿１９での前後幅広面４２０（傾斜面）のうちで当該上皿１９の中央から左側の範囲内に落下した遊技球は、前後幅広面４２０に沿って前方に下り案内されて、この前後幅広面４２０上の案内溝４８７を通って上皿１９に戻される。よって、当該落下球を遊技者が失うことを低減できるし、遊技場の床面に遊技球が散乱することも低減できる。また、図３６（ａ）に示す前述の変形例では、上皿１９からの落下球を下皿１５で受け取る構成としていたが、図３６（ｂ）に示す変形例では落下球を上皿１９に戻すことができるので、下皿１５から上皿１９へ遊技球を戻す操作も不要にできる。
【０２１０】
また、この大きな操作面（迫出前後幅広操作面４４０）での下流側流路寄りに演出用操作ボタン４５１などを配設することで当該操作面の遊技者側を利用して球戻し手段（落下防止壁４８５及び戻す案内溝４８７）を設けることができ、球戻し手段の配設による上皿１９の前後幅の拡張を低減できる。
【０２１１】
＜５＞また、演出用操作ボタン４５１での押下操作されることで上下動するボタン部分（被動作部）が、当該パチンコ機１０の平面視において、狭窄流路４０５に接する箇所に位置する構成としてもよい。この場合には、演出用操作ボタン４５１のボタン部分（被動作部）は、遊技者による操作により上下動するので、狭窄流路４０５での貯留球の貯留状態に変化を与えることができ、狭窄流路４０５での球詰まりを低減できる。
【０２１２】
＜６＞また、上皿１９は、狭窄流路４０５の下流側で最下層の貯留球が視認可能な視認手段として、透明とした乗り上げ屋根面４７１を備えるようしてもよい。透明とした乗り上げ屋根面４７１によって狭窄流路４０５の下流側で最下層の貯留球が視認できるので、発射装置２２９で発射可能な上皿１９で残球数を把握でき、不意の球切れによって遊技の興趣性が損なわれることを低減できる。また、迫出前後幅広操作面４４０を備えた上皿１９では、迫出前後幅広操作面４４０（迫り出し操作面）を備えない球皿部に比べて、狭窄流路４０５の最下層が深くなることから、このように深くなった狭窄流路４０５の下流側で最下層の貯留球が、透明とした乗り上げ屋根面４７１（視認手段）によって確認できる点が有用である。
【０２１３】
なお、前記の視認手段以外の構成としては、例えば図３７に示す構成が挙げられる。図３７に示すように、鏡部材４９０（鏡部品など）を、パチンコ機１０の正面視で上皿１９の左側内面箇所（排出口１９ａの左側に近い内面箇所）に、遊技者の当該鏡部材４９０への視線（図３７での円内に×を示したもの）をこの鏡部材４９０で上皿１９の狭窄流路４０５の下流側の方に反射させるように向けて（図３７での破線矢印の方向に向けて）配置した構成が挙げられる。この構成の場合には、遊技者が遊技中に鏡部材４９０の方に視線を移すと、図３７の破線矢印方向視した状態で狭窄流路４０５の最下層の貯留球を視認できる。
【０２１４】
また、それ以外の視認手段としては、この鏡部材４９０や他の鏡部材（鏡部品など）と前述した狭窄流路４０５の金属面４０７（図２３参照）とで光学反射経路を構成して視認可能とする構成や、これらと透明とした乗り上げ屋根面４７１とを組合せた構成などが挙げられる。
【０２１５】
＜７＞本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特定遊技状態となるパチンコ機として実施してもよい。また、球が所定の入賞口に入ることで特定遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０２１６】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【０２１７】
なお、本明細書は、次のような遊技機に係る発明も開示している。
【０２１８】
＜第１課題＞
従来、遊技機の代表例として例えばパチンコ機がある。このパチンコ機は、例えば、遊技機本体の前面下部箇所に、払い出しされた遊技球を貯留する球皿部を備え、この球皿部から案内されてきた遊技球を遊技者のハンドル操作に応じて遊技球発射装置が遊技盤の遊技領域に発射する。また、球皿部には、遊技者に操作される各種の操作ボタン（例えば、演出用ボタン、球貸しボタンなど）が配設されている（例えば、特許文献：特開２０１０−２８４３５９号公報（第５−６頁，第３−４図）参照）。
【０２１９】
しかしながら、このような構成を有する従来例の場合には、次のような問題がある。
すなわち、従来のパチンコ機では、例えば、各種の操作ボタン（演出用ボタン、球貸しボタンなど）は、遊技者が遊技領域を見ながら操作されることがあるため、操作ミスや操作間違いを低減するべく、球皿部の上面を拡大して大きな操作面とし、この大きくした操作面に各種の操作ボタンを配設する構成が好ましい。
【０２２０】
具体的には、従来のパチンコ機では、球貸しボタンは球皿部の上面に配設しているものの、演出用ボタンについては球皿部の前側側面箇所に配置している。この演出用ボタンは当該パチンコ機に向けて押し込む方向に操作しなければならないので、肘、手首または指に負担がかかり易く、演出用ボタンを球皿部の上面箇所に配置し当該演出用ボタンを略下方向に押下する構成の方が手の負担が少ない。また、球皿部での演出用ボタンが前方に突出した形状となっており、演出用ボタンが遊技者に近くなり過ぎて、遊技者に圧迫感を与えてしまう。よって、演出用ボタンも球皿部の上面に配設する方が好ましい。
【０２２１】
また、演出用ボタンは、他の操作ボタン（例えば、球貸しボタンなど）と比べて、遊技領域を見ながら操作されるケースが多いため、操作ミスを低減するために他の操作ボタン（例えば、球貸しボタンなど）と比べて大きなものとする方が好ましく、球皿部の上面を拡大して大きな操作面とし、当該大きな操作面にこの演出用ボタンを配設するのが好ましい。
【０２２２】
だからと言って、上述したように球皿部の上面を拡張して当該上面箇所に各種の操作ボタン（演出用ボタン、球貸しボタンなど）を配設する構成とすると、その上面が拡張した分だけ当該球皿部で貯留できる貯留球の数が減ってしまうという別異の問題が生じてしまう。
【０２２３】
以下の発明は、このような事情等に鑑みてなされたものであって、球皿部の上面を大きな操作面としつつ、貯留球数の低減を抑止できる遊技機を提供することを目的とする。
【０２２４】
（Ａ０）  遊技機本体の前面に配設される、払い出された遊技球を貯留する球皿部と、
この球皿部から案内されてきた遊技球を遊技者の発射操作に応じて遊技領域に発射する遊技球発射装置と、
を備えた遊技機において、
払い出された遊技球を貯留可能でこの貯留球を前記遊技球発射装置側に送る前記球皿部の球流路のうちで平面視において下流側に形成された流路幅の狭い下流側流路と、
平面視において前記下流側流路に対して前記球皿部の遊技者側に形成され、一部が当該下流側流路に重なった上面と、
前記上面のうち前記重なる範囲に対応した横方向の範囲内に、遊技者に操作される操作部の少なくとも一部が配設されている
ことを特徴とする遊技機。
【０２２５】
前記（Ａ０）に記載の発明によれば、球皿部の上面は、平面視でその一部が下流側流路に重なるものとしているので、この上面を、下流側流路の方に拡大した大きな操作面とすることができる。この大きな操作面に操作部を広く配設したり大きな操作部を配設したりできるので、遊技者が遊技領域を見ながら操作する場合にも、操作ミスや操作間違いを低減できる。
【０２２６】
また、球皿部の平面視でその上面での下流側流路の重なり箇所に、遊技球が入り込むことができ、球皿部での貯留球数の低減を抑止できる。
【０２２７】
よって、球皿部の上面を大きな操作面としつつ、貯留球数の低減を抑止できる遊技機を提供することができる。
【０２２８】
（Ａ１）  遊技機本体の前面に配設される、払い出された遊技球を貯留する球皿部と、
この球皿部から案内されてきた遊技球を遊技者の発射操作に応じて遊技領域に発射する遊技球発射装置と、
を備えた遊技機において、
払い出された遊技球を貯留可能でこの貯留球を前記遊技球発射装置側に送る、前記球皿部での球流路を形成するものであって、当該球流路の下流側に流路幅が狭くなった下流側流路を有する球流路を形成する流路形成周囲壁部と、
当該遊技機の平面視において、前記流路形成周囲壁部のうちで前記下流側流路に接する所定壁部である第１壁部の前後幅を他の壁部よりも長くすることで当該第１壁部の上面に形成された前後幅広上面と、
前記第１壁部の前記下流側流路側で当該下流側流路の底から遊技球１個以上の間隔を空けた箇所が当該遊技機の平面視において当該下流側流路に向けて迫り出した迫り出し部と、
前記前後幅広上面と前記迫り出し部の上面とで形成される面であって、遊技者に操作される操作部が配設される迫り出し操作面と、
を備えていることを特徴とする遊技機。
【０２２９】
前記（Ａ１）に記載の発明によれば、遊技機本体の前面に配設される球皿部は、その流路形成周囲壁部での下流側流路に接する前後幅が長い第１壁部の上面である前後幅広上面と、第１壁部の下流側流路側で下流側流路の底から遊技球１個以上の間隔を空けた箇所が当該下流側流路に向けて迫り出した迫り出し部の上面とで形成される迫り出し操作面を備えているので、奥側に拡大した大きな操作面とすることができる。この大きな操作面に操作部を広く配設したり大きな操作部を配設したりできるので、遊技者が遊技領域を見ながら操作する場合にも、操作ミスや操作間違いを低減できる。
【０２３０】
また、第１壁部は、その下流側流路側で当該下流側流路の底から遊技球１個以上の間隔を空けた箇所が当該下流側流路に向けて迫り出した迫り出し部としているので、この第１壁部での迫り出し部の下部に遊技球が入り込むことができ、球皿部での貯留球数の低減を抑止できる。
【０２３１】
よって、球皿部の上面を大きな操作面としつつ、貯留球数の低減を抑止できる遊技機を提供することができる。
【０２３２】
さらに、迫り出し部は、下流側流路に向けて迫り出しているので、下流側流路での貯留球の積み上げが迫り出し部によって所定高さまでに制限でき、下流側流路での貯留球が操作面の方に溢れ出すことを低減できる。これに対して、球皿部の流路形成周囲壁部のうちで下流側流路に接する箇所以外の壁部（つまり、遊技機の平面視で手間側に膨らんだ形状とした遊技球を貯留する膨出貯留部に接する壁部）には、迫り出し部を備えていないので、遊技者が貯留球を取り出そうとする場合に、迫り出し部で邪魔されることがなく、貯留球が取り出し易い。
【０２３３】
また、操作部は、球皿部の上面である操作面に設けられているので、操作部が前方に突出することがなく、球皿部の前面側面部に操作部を突出配置する従来構成に起因する遊技者への圧迫感を低減できる。
【０２３４】
なお、前述した「下流側流路」としては、最下面が狭窄流路を含む流路である。
【０２３５】
また、前述した「操作部」としては、例えば、下方向または略下方向に押下操作されるものが挙げられる。この場合には、球皿部の上面である迫り出し操作面に配設された操作部は、遊技者の指や手を下ろすように下方向または略下方向に押下操作されるので、遊技機に向かって水平方向に押し込む操作の場合に比べて、手の負担が少なく操作できる。
【０２３６】
（Ａ２）  前記（Ａ１）に記載の遊技機において、
前記前後幅広上面は、当該遊技機の前方に向けて下り傾斜する傾斜面である
ことを特徴とする遊技機。
【０２３７】
前記（Ａ２）に記載の発明によれば、前後幅広上面は、当該遊技機の前方に向けて下り傾斜する傾斜面としているので、傾斜面に落下した遊技球が当該傾斜面を下って排出され、傾斜面上に遊技球が滞留することを低減できる。また、前後幅広上面は、手前側が下り傾斜しているので、前後幅広上面を傾斜していない平面構成とした場合と比べて、球皿部に遊技球を手で入れ易いし、球皿部に貯留されている貯留球が取り出し易い。
【０２３８】
なお、「球皿部の下方に位置し、且つ、球皿部の傾斜面から落下してきた遊技球を受ける別の球皿部である下部皿部を、さらに備えるようにしてもよい。この場合には、球皿部での傾斜面に落下した遊技球は、当該傾斜面を下って下部皿部の方に落下し、この下部皿部で受け取られるので、当該落下球を遊技者が失うことを低減できるし、遊技場の床面に遊技球が散乱することも低減できる。
【０２３９】
また、前記傾斜面は、当該傾斜面上の遊技球を前記球皿部へ戻す通路部を備える構成としてもよい。この構成によれば、球皿部での傾斜面に落下した遊技球は、傾斜面上の通路部を通って球皿部に戻すことができ、当該落下球を遊技者が失うことを低減できるし、遊技場の床面に遊技球が散乱することも低減できる。また、前述の下部皿部から球皿部へ遊技球を戻す操作も不要にできる。
【０２４０】
（Ａ３）  前記（Ａ０）から（Ａ２）のいずれか一つに記載の遊技機において、
前記操作部は、遊技者によって押下操作されるものであって、その奥側端が当該遊技機の平面視で前記下流側流路に接するように配設されている
ことを特徴とする遊技機。
【０２４１】
前記（Ａ３）に記載の発明によれば、操作部は、その奥側端が当該遊技機の平面視で下流側流路に接するように配設されているので、遊技者がその左手の指を球皿部の内側に伝わせると、球皿部を見なくても当該球皿部での遊技球の貯留数量の程度を把握できるのみならず、迫り出し部で下流側流路に接する操作部に触れることができ、遊技領域を見ながら、操作部の位置把握とその操作とを行うことができる。
【０２４２】
また、前述した「操作部」は、その押下操作されることで上下動する被動作部が、当該遊技機の平面視において、前記下流側流路に接する箇所に位置する構成としてもよい。この場合には、被動作部は、遊技者による操作により上下動するので、下流側流路での貯留球の貯留状態に変化を与えることができ、下流側流路での球詰まりを低減できる。
【０２４３】
（Ａ４）  前記（Ａ２）に記載の遊技機において、
前記操作部としての、遊技者によって押下操作される第１操作部と、遊技者によって押下操作される、前記第１操作部よりも押下操作深さ及び前後幅が大きい第２操作部とを備え、
前記第１操作部は、前記迫り出し操作面での前後幅方向の中心箇所よりも手前側に位置し、
前記第２操作部は、その操作中心軸が前記迫り出し操作面での前後幅方向の中心箇所よりも奥側に位置するとともに、当該遊技機の平面視でその奥側端が前記下流側流路に接するように配設されている
ことを特徴とする遊技機。
【０２４４】
前記（Ａ４）に記載の発明によれば、第２操作部は、その操作中心軸が迫り出し操作面での前後幅方向の中心箇所よりも奥側に位置している。つまり、第２操作部は、球皿部の手前側よりも奥側で厚みのある箇所に位置しているので、第１操作部よりも押下操作深さが大きい第２操作部を配設することができる。さらに、この第２操作部は、当該遊技機の平面視で下流側流路に接するように配設されているので、第１操作部よりも前後幅が大きく、迫り出し操作面の奥側まで至る大きさとすることができる。また、第１操作部は、迫り出し操作面での前後幅方向の中心箇所よりも手前側に位置しているので、迫り出し操作面での前後幅の半分以下の大きさであり、第１操作部と第２操作部との相対差を大きくすることができ、遊技領域を見ながら操作される場合にも誤操作を低減できる。
【０２４５】
（Ａ５）  前記（Ａ１）から（Ａ４）のいずれか一つに記載の遊技機において、
前記流路形成周囲壁部は、当該遊技機の平面視において、前記下流側流路に接する箇所に、遊技者に操作されることで動く被動作部を備えている
ことを特徴とする遊技機。
【０２４６】
前記（Ａ５）に記載の発明によれば、遊技機の平面視において流路形成周囲壁部での下流側流路に接する箇所の被動作部は、遊技者による操作により動くので、下流側流路での貯留球の貯留状態に変化を与えることができ、下流側流路での球詰まりを低減できる。
【０２４７】
また、「被動作部は、球皿部の下流側流路に待機される最下層の遊技球を、球皿部の下方に位置する下部皿部に返却する返却操作部とする」ことが好ましい。この構成によれば、遊技者が返却操作部を操作することで、球皿部の下流側流路に待機される最下層の遊技球が下部皿部に返却されることで最下層の遊技球の貯留状態に変化を与えることができるとともに、球皿部の下流側流路に待機される最下層よりも上層の遊技球が返却操作部の動きでその貯留状態に変化を与えることができ、下流側流路の最下層及びそれよりも上層の貯留球についての球詰まりを低減できる。また、下流側流路の最下層での球詰まりは、外部からは見えないあるいは見えにくいので、このように外部から見えない球詰まりについてもそれを解消できる点で有効である。
【０２４８】
（Ａ６）  前記（Ａ０）から（Ａ５）のいずれか一つに記載の遊技機において、
前記球皿部は、前記下流側流路の下流側で最下層の貯留球が視認可能な視認手段を備えている
ことを特徴とする遊技機。
【０２４９】
前記（Ａ６）に記載の発明によれば、視認手段によって下流側流路の下流側で最下層の貯留球が視認できるので、遊技球発射装置で発射可能な球皿部で残球数を把握でき、不意の球切れによって遊技の興趣性が損なわれることを低減できる。また、迫り出し操作面を備えた球皿部では、迫り出し操作面を備えない球皿部に比べて、下流側流路の最下層が深くなることから、このように深くなった下流側流路の下流側で最下層の貯留球が視認手段によって確認できる点が有用である。例えば、視認手段としては、球皿部の下流側流路の下流側で最下層の貯留球が視認可能な位置に配設された透明部若しくは鏡部材またはこれらを組合せた構成などが挙げられる。
【０２５０】
（Ａ７）  前記（Ａ０）から（Ａ６）のいずれか一つに記載の遊技機において、
前記球皿部は、
前記下流側流路の最下面である狭窄流路の下流側端部の上部箇所に配設され、当該狭窄流路において一列に並んだ一列球上に所定数の遊技球が積み重なった場合に上層の遊技球が当該一列球の進行方向に乗り上げ可能な乗り上げ屋根部と、
前記乗り上げ屋根部の下面に形成された、当該下面下での一列球上の遊技球の積み重なりを一層に規制するように当該下流方向に進むにつれて高さが低くなる下り天面部と、
当該遊技機の平面視で前記乗り上げ屋根部に連接するとともに前記狭窄流路の横側で当該狭窄流路に向けて下り傾斜に形成された迂回部と、
を備えていることを特徴とする遊技機。
【０２５１】
前記（Ａ７）に記載の発明によれば、下流側流路の最下面である狭窄流路の下流側端部の上部箇所に位置する乗り上げ屋根部は、当該狭窄流路において一列に並んだ一列球上に所定数の遊技球が積み重なった場合に上層の遊技球が当該一列球の進行方向に乗り上げさせ、狭窄流路の下流側での一列球上の積み重なりを所定段に制限できる。また、この乗り上げ屋根部に乗り上げた遊技球は、迂回部によって、当該狭窄流路の上流側に迂回させることができる。また、乗り上げ屋根部の下面に形成された下り天面部は、下流方向に進むにつれて高さが低くなっており、当該下面下での一列球上の遊技球の積み重なりを一層に規制することができる。なお、前述の「上層の遊技球」としては、最下層より上位である２層目以上の遊技球、最下層より上位である３層目以上の遊技球などが挙げられる。
【０２５２】
（Ａ８）  前記（Ａ７）に記載の遊技機において、
前記球皿部は、
前記上層の遊技球を当該球皿部の平面視で前記迂回部の方に逃がす逃がし突出部
を備えていることを特徴とする遊技機。
【０２５３】
前記（Ａ８）に記載の発明によれば、逃がし突出部は、狭窄流路において一列に並んだ一列球上に予め定まった所定数の遊技球が積み重なった場合に上層の遊技球を、球皿部の平面視で迂回部の方に逃がすので、上層の遊技球を迂回部にスムーズに供給できる。また、乗り上げ屋根部に乗り上がる遊技球は、狭窄流路の真上ではなく迂回部側に逃がして乗り上げさせることができ、乗り上げた遊技球は迂回部へ供給されるものであるため、狭窄流路へ向かう遊技球が乗り上げ球によって停滞することも低減できる。また、貯留球がさほど多くない場合（逃がし突出部に接触する程度に貯留球が存在するものの、乗り上げ屋根部に乗り上がるまでに至らない数量の場合）には、逃がし突出部で直接に迂回部に供給される。よって、当該上層の遊技球を効率良く迂回部に供給でき、この迂回部から再び狭窄流路の上流側に戻すことができる。
【０２５４】
なお、前述した「逃がし突出部」は、前記狭窄流路の下流方向に進むにつれて高さが低くなるとともに、当該流下方向視で前記狭窄流路の横幅一端側の方に向くように傾斜している」ことが好ましい。この構成によれば、狭窄流路において遊技球が複数個積み重なった一列球のうち上層の遊技球をその積み上げ高さを崩しながら当該一列球の進行方向と直交する横方向に逃がしていくことができ、当該一列球のうち上層の遊技球を滞らせずに迂回部の方に逃がすことができる。
【０２５５】
（Ａ９）  前記（Ａ１）から（Ａ８）のいずれか一つに記載の遊技機において、
前記遊技機はパチンコ機であることを特徴とする遊技機。
【０２５６】
前記（Ａ９）に記載の遊技機によれば、球皿部の上面を大きな操作面としつつ、貯留球数の低減を抑止できるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特定遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【０２５７】
＜第２課題＞
従来、遊技機の代表例として例えばパチンコ機がある。このパチンコ機は、例えば、遊技機本体の前面下部箇所に、払い出しされた遊技球を貯留する球皿部を備え、この球皿部から案内されてきた遊技球を遊技者のハンドル操作に応じて遊技球発射装置が遊技盤の遊技領域に発射する。また、球皿部には、遊技者に操作される各種の操作ボタン（例えば、演出用ボタン、球貸しボタンなど）が配設されている（例えば、特許文献：特開２０１０−２８４３５９号公報（第５−６頁，第３−４図）参照）。
【０２５８】
しかしながら、このような構成を有する従来例の場合には、次のような問題がある。
すなわち、従来のパチンコ機では、例えば、遊技者は遊技領域を見ながら球皿部から遊技球を取り出すことがあり、その際に球皿部の上面に落下したりこぼれたりした遊技球が遊技場の床面に落下して散乱してしまうことがあり、当該落下球を遊技者が失うことがある。
【０２５９】
以下の発明は、このような事情等に鑑みてなされたものであって、球皿部の上面における遊技球を回収できる遊技機を提供することを目的とする。
【０２６０】
（Ｂ１）  遊技機本体の前面に配設される、払い出された遊技球を貯留する球皿部と、
この球皿部から案内されてきた遊技球を遊技者の発射操作に応じて遊技領域に発射する遊技球発射装置と、
を備えた遊技機において、
払い出された遊技球を貯留可能でこの貯留球を前記遊技球発射装置側に送る前記球皿部の球流路と、
前記球皿部での遊技者側に下り傾斜する上面と、
前記上面における遊技球を前記球流路に戻す球戻し手段と
を備えている
ことを特徴とする遊技機。
【０２６１】
前記（Ｂ１）に記載の発明によれば、球皿部での遊技者側に下り傾斜した上面における遊技球は、球戻し手段によって球皿部の球流路に戻されるので、上面における遊技球を回収することができる。よって、球皿部の上面における遊技球が遊技場の床面に落下することを低減でき、当該落下球を遊技者が失うことを低減できるし、遊技場の床面に遊技球が散乱することも低減できる。
【０２６２】
よって、球皿部の上面における遊技球を回収できる遊技機を提供することができる。
【０２６３】
（Ｂ２）  遊技機本体の前面に配設される、払い出された遊技球を貯留する球皿部と、
この球皿部から案内されてきた遊技球を遊技者の発射操作に応じて遊技領域に発射する遊技球発射装置と、
遊技球が貯留可能な貯留領域を有し、前記球皿部の下方位置に配設された下側球皿部と
を備えた遊技機において、
前記球皿部での遊技者側に下り傾斜する上面と、
当該遊技機の平面視で前記下側球皿部の貯留領域の少なくとも一部が前記球皿部よりも遊技者側に延出した延出領域と
を備えている
ことを特徴とする遊技機。
【０２６４】
前記（Ｂ２）に記載の発明によれば、球皿部の上面における遊技球は、遊技者側に下り傾斜して当該球皿部から落下するが、この落下球が下側球皿部の延出領域で受け取られるので、上面における遊技球を回収することができる。よって、球皿部の上面における遊技球が遊技場の床面に落下することを低減でき、当該落下球を遊技者が失うことを低減できるし、遊技場の床面に遊技球が散乱することも低減できる。
【０２６５】
よって、球皿部の上面における遊技球を回収できる遊技機を提供することができる。
【０２６６】
（Ｂ３）  前記（Ｂ２）に記載の遊技機において、
前記延出領域は、当該遊技機の平面視で前記球皿部の外形に沿った形状としていることを特徴とする遊技機。
【０２６７】
前記（Ｂ３）に記載の発明によれば、下側球皿部の延出領域は、遊技機の平面視で球皿部の外形に沿った形状であるので、遊技機の平面視で球皿部の外形から遊技者側に広がる延出領域の遊技者側方向の距離を一定とすることができ、球皿部の上面での何れの箇所にから落下した遊技球も受け取ることができ、平面視で球皿部に対する下側球皿部の前方突出量を必要最小限に止めることができる。
【０２６８】
（Ｂ４）  前記（Ｂ２）または（Ｂ３）に記載の遊技機において、
前記延出領域は、当該遊技機の平面視で遊技者側に遊技球を排出するための開閉可能な排出口を備えるとともに、前記排出口に向かうように下り傾斜していることを特徴とする遊技機。
【０２６９】
前記（Ｂ４）に記載の発明によれば、延出領域は、遊技機の平面視で、遊技球を排出する排出口を遊技者側に備えるとともに、この排出口に向かうように下り傾斜しているので、下側球皿部の貯留球が遊技者側で貯留され、遊技者は下側球皿部での貯留球数を把握し易い。また、下側球皿部の排出口を開状態にすることで、貯留球を当該下側球皿部の下方の搬送用容器に排出することができる。
【０２７０】
（Ｂ５）  前記（Ｂ１）から（Ｂ４）のいずれか一つに記載の遊技機において、
前記球皿部の球流路のうちで平面視において下流側に形成された流路幅の狭い下流側流路と、
平面視において前記下流側流路に対して前記球皿部の遊技者側に形成され、一部が当該下流側流路に重なった上面と、
前記上面のうち前記重なる範囲に対応した横方向の範囲内に、遊技者に操作される操作部の少なくとも一部が配設されている
ことを特徴とする遊技機。
【０２７１】
前記（Ｂ５）に記載の発明によれば、球皿部の上面は、平面視でその一部が下流側流路に重なるものとしているので、この上面を、下流側流路の方に拡大した大きな操作面とすることができる。この大きな操作面に操作部を広く配設したり大きな操作部を配設したりできるので、遊技者が遊技領域を見ながら操作する場合にも、操作ミスや操作間違いを低減できる。そして、この大きな操作面での下流側流路寄りに操作部を配設することで当該操作面の遊技者側を利用して前記（Ｂ１）の球戻し手段を設けることができ、球戻し手段の配設による球皿部の前後幅の拡張を低減できる。
【０２７２】
また、大きな操作面としたことでこの操作面に遊技球が落下したりこぼれたりするケースが考えられるが、この操作面における遊技球を、前記（Ｂ１）の球戻し手段で球皿部に戻したり、前記（Ｂ２）の下側球皿部の貯留領域のうち延出領域で受け取ったりでき、操作面上の遊技球を気にすることなく、遊技に集中することができる。
【０２７３】
なお、前記（Ｂ１）〜（Ｂ５）において、前記（Ａ１）〜（Ａ８）の構成を備えるようにしてもよい。
【０２７４】
なお、本明細書に開示する種々の発明に関して、全ての構成要素について種々の組み合わせが可能であり、他の構成要件がなくても単独で発明として成立する点に留意されたい。
【産業上の利用可能性】
【０２７５】
以上のように、本発明は、パチンコ機等の遊技機に適している。
【符号の説明】
【０２７６】
１４  …前面枠セット（遊技機本体）
１９  …上皿（球皿部）
２２９  …発射装置（遊技球発射装置）
４１０  …流路形成用周囲壁（流路形成周囲壁部）
４１５  …幅広壁（第１壁部）
４２０  …前後幅広面（上面、前後幅広上面）
４３０  …突出部（迫り出し部）
４４０  …迫出前後幅広操作面（上面、迫り出し操作面）
４５１  …演出用操作ボタン（操作部、第２操作部）
４５５ａ…左指示用操作ボタン（操作部、第１操作部）
４５５ｂ…右指示用操作ボタン（操作部、第１操作部）
４６１  …球接触ボタン部（被動作部）
４７１  …乗り上げ屋根面（乗り上げ屋根部）
４７３  …下り天面（下り天面部）
４７５  …迂回面（迂回部）
４７７  …逃がし突出面（逃がし突出部）
【図１】
2019069278.tif 000003
【図２】
2019069278.tif 000004
【図３】
2019069278.tif 000005
【図４】
2019069278.tif 000006
【図５】
2019069278.tif 000007
【図６】
2019069278.tif 000008
【図７】
2019069278.tif 000009
【図８】
2019069278.tif 000010
【図９】
2019069278.tif 000011
【図１０】
2019069278.tif 000012
【図１１】
2019069278.tif 000013
【図１２】
2019069278.tif 000014
【図１３】
2019069278.tif 000015
【図１４】
2019069278.tif 000016
【図１５】
2019069278.tif 000017
【図１６】
2019069278.tif 000018
【図１７】
2019069278.tif 000019
【図１８】
2019069278.tif 000020
【図１９】
2019069278.tif 000021
【図２０】
2019069278.tif 000022
【図２１】
2019069278.tif 000023
【図２２】
2019069278.tif 000024
【図２３】
2019069278.tif 000025
【図２４】
2019069278.tif 000026
【図２５】
2019069278.tif 000027
【図２６】
2019069278.tif 000028
【図２７】
2019069278.tif 000029
【図２８】
2019069278.tif 000030
【図２９】
2019069278.tif 000031
【図３０】
2019069278.tif 000032
【図３１】
2019069278.tif 000033
【図３２】
2019069278.tif 000034
【図３３】
2019069278.tif 000035
【図３４】
2019069278.tif 000036
【図３５】
2019069278.tif 000037
【図３６】
2019069278.tif 000038
【図３７】
2019069278.tif 000039